(57)【要約】  本開示は、データ処理方法、ユーザ装置及びネットワーク側装置を提供し、該方法は、ネットワーク側装置にクロススロットスケジューリングの第１のパラメータを送信することと、第１のパラメータであるか又は第１のパラメータに対応する、ＵＥのクロススロットスケジューリングの第２のパラメータを決定することと、第２のパラメータに基づいて、クロススロットスケジューリングに関連するデータ処理を行うことと、を含む。
2021527985.tif 000002
【特許請求の範囲】
【請求項１】
ユーザ装置ＵＥに適用されるデータ処理方法であって、
ネットワーク側装置にクロススロットスケジューリングの第１のパラメータを送信することと、
前記第１のパラメータであるか又は前記第１のパラメータに対応する、前記ＵＥのクロススロットスケジューリングの第２のパラメータを決定することと、
前記第２のパラメータに基づいて、クロススロットスケジューリングに関連するデータ処理を行うことと、を含む、データ処理方法。
【請求項２】
前記第１のパラメータに対応する、前記ＵＥのクロススロットスケジューリングの第２のパラメータを決定することは、
前記ネットワーク側装置から、前記ネットワーク側装置が前記第１のパラメータに基づいて決定した、クロススロットスケジューリングの前記第２のパラメータを受信することを含む、請求項１に記載の方法。
【請求項３】
前記ネットワーク側装置が前記第１のパラメータを受信したことを示す第１の肯定応答メッセージを前記ネットワーク側装置から受信することをさらに含む、請求項１に記載の方法。
【請求項４】
前記ネットワーク側装置からクロススロットスケジューリングの前記第２のパラメータを受信することは、
前記ネットワーク側装置から、前記第２のパラメータを含む無線リソース制御ＲＲＣシグナリングを受信することと、
前記ネットワーク側装置から、前記第２のパラメータを含む媒体アクセス制御ＭＡＣシグナリングを受信することと、
前記ネットワーク側装置から、前記第２のパラメータを含むダウンリンク制御情報ＤＣＩを受信することと、のいずれか１項を含む、請求項２に記載の方法。
【請求項５】
前記第１のパラメータは、前記ＵＥのハードウェア能力及び／又は前記ＵＥの省電力需要に関連する、請求項１に記載の方法。
【請求項６】
ネットワーク側装置にクロススロットスケジューリングの第１のパラメータを送信することは、
ネットワーク側装置に、１つ以上のＤＣＩフォーマットに対応するクロススロットスケジューリングの第１のパラメータを送信することと、
ネットワーク側装置に、１つ以上の無線ネットワーク一時識別子ＲＮＴＩに対応するクロススロットスケジューリングの第１のパラメータを送信することと、
ネットワーク側装置に、１つ以上の物理ダウンリンク制御チャネルＰＤＣＣＨサーチスペースタイプに対応するクロススロットスケジューリングの第１のパラメータを送信することと、
ネットワーク側装置に、１つ以上の物理ダウンリンク制御チャネルＰＤＣＣＨサーチスペースに対応するクロススロットスケジューリングの第１のパラメータを送信することと、
ネットワーク側装置に、１つ以上の制御リソースセットＣＯＲＥＳＥＴに対応するクロススロットスケジューリングの第１のパラメータを送信することと、のいずれか１項を含む、請求項１に記載の方法。
【請求項７】
前記第１のパラメータは、
ＰＤＣＣＨと前記ＰＤＣＣＨによりスケジュールされる物理ダウンリンク共有チャネルＰＤＳＣＨとの時間間隔と、
ＰＤＣＣＨと前記ＰＤＣＣＨによりスケジュールされる物理アップリンク共有チャネルＰＵＳＣＨとの時間間隔と、
ＰＤＳＣＨと対応する物理アップリンク制御チャネルＰＵＣＣＨでの肯定応答ＡＣＫメッセージ又は否定応答ＮＡＣＫメッセージとの時間間隔と、の少なくとも１項を含む、請求項１〜６のいずれか１項に記載の方法。
【請求項８】
前記第１のパラメータは、
ＰＤＣＣＨと前記ＰＤＣＣＨによりスケジュールされるＰＤＳＣＨとの時間間隔と、
ＰＤＣＣＨと前記ＰＤＣＣＨによりスケジュールされるＰＵＳＣＨとの時間間隔と、
ＰＤＳＣＨとそれに対応するＰＵＣＣＨでのＡＣＫメッセージ又はＮＡＣＫメッセージとの時間間隔と、のうちの１項以上に対応するＵＥ能力タイプを含む、請求項１〜６のいずれか１項に記載の方法。
【請求項９】
ネットワーク側装置に適用されるデータ処理方法であって、
ＵＥからクロススロットスケジューリングの第１のパラメータを受信することと、
前記ＵＥに前記第１のパラメータに応答したフィードバック情報を送信することにより、前記ＵＥが前記フィードバック情報に応じてクロススロットスケジューリングに関連するデータ処理を行うことと、を含む、データ処理方法。
【請求項１０】
前記フィードバック情報は、
前記ネットワーク側装置が前記第１のパラメータを受信したことを示す第１の肯定応答メッセージを含む、請求項９に記載の方法。
【請求項１１】
前記フィードバック情報は、前記ネットワーク側装置が前記第１のパラメータに基づいて決定した第２のパラメータを含む、請求項９に記載の方法。
【請求項１２】
前記ＵＥに前記第１のパラメータに応答したフィードバック情報を送信することは、
前記ＵＥに前記フィードバック情報を含むＲＲＣシグナリングを送信することと、
前記ＵＥに前記フィードバック情報を含むＭＡＣシグナリングを送信することと、
前記ＵＥに前記フィードバック情報を含むＤＣＩを送信することと、のいずれか１項を含む、請求項９に記載の方法。
【請求項１３】
前記第１のパラメータは、前記ＵＥのハードウェア能力及び／又は前記ＵＥの省電力需要に関連する、請求項９に記載の方法。
【請求項１４】
前記ＵＥからクロススロットスケジューリングの第１のパラメータを受信することは、
ＵＥから、１つ以上のＤＣＩフォーマットに対応するクロススロットスケジューリングの第１のパラメータを受信することと、
ＵＥから、１つ以上の無線ネットワーク一時識別子ＲＮＴＩに対応するクロススロットスケジューリングの第１のパラメータを受信することと、
ＵＥから、１つ以上の物理ダウンリンク制御チャネルＰＤＣＣＨサーチスペースタイプに対応するクロススロットスケジューリングの第１のパラメータを受信することと、
ＵＥから、１つ以上の物理ダウンリンク制御チャネルＰＤＣＣＨサーチスペースに対応するクロススロットスケジューリングの第１のパラメータを受信することと、
ＵＥから、１つ以上の制御リソースセットＣＯＲＥＳＥＴに対応するクロススロットスケジューリングの第１のパラメータを受信することと、のいずれか１項を含む、請求項９に記載の方法。
【請求項１５】
前記第１のパラメータは、
ＰＤＣＣＨと前記ＰＤＣＣＨによりスケジュールされるＰＤＳＣＨとの時間間隔と、
ＰＤＣＣＨと前記ＰＤＣＣＨによりスケジュールされるＰＵＳＣＨとの時間間隔と、
ＰＤＳＣＨとそれに対応するＰＵＣＣＨでのＡＣＫメッセージ又はＮＡＣＫメッセージとの時間間隔と、のいずれか１項を含む、請求項９〜１４のいずれか１項に記載の方法。
【請求項１６】
前記第１のパラメータは、
ＰＤＣＣＨと前記ＰＤＣＣＨによりスケジュールされる物理ダウンリンク共有チャネルＰＤＳＣＨとの時間間隔と、
ＰＤＣＣＨと前記ＰＤＣＣＨによりスケジュールされる物理アップリンク共有チャネルＰＵＳＣＨとの時間間隔と、
ＰＤＳＣＨと対応する物理アップリンク制御チャネルＰＵＣＣＨでの肯定応答ＡＣＫメッセージ又は否定応答ＮＡＣＫメッセージとの時間間隔と、のうちの少なくとも１項に対応するＵＥ能力タイプを含む、請求項９〜１４のいずれか１項に記載の方法。
【請求項１７】
ＵＥに適用されるデータ処理方法であって、
ネットワーク側装置に第１のＵＥ能力又は第１のＵＥ能力に対応する第３のパラメータを報告することと、
前記第１のＵＥ能力又は第１のＵＥ能力に対応する第３のパラメータに対応する、ＰＤＣＣＨと前記ＰＤＣＣＨによりスケジュールされるＰＵＳＣＨとの時間間隔、及びＰＤＳＣＨとそれに対応するＰＵＣＣＨでのＡＣＫメッセージ又はＮＡＣＫメッセージとの時間間隔のうちの少なくとも１項である、前記ＵＥのクロススロットスケジューリングの第４のパラメータを決定することと、
前記第４のパラメータに基づいて、クロススロットスケジューリングに関連するデータ処理を行うことと、を含み、
前記ＵＥの現在のＵＥ能力は、第２のＵＥ能力であり、前記第１のＵＥ能力に対応する第３のパラメータは、ＰＵＳＣＨ準備時間遅延及び／又はＰＤＳＣＨ処理時間遅延であり、前記第１のＵＥ能力に対応するＰＵＳＣＨ準備時間遅延は、前記第２のＵＥ能力に対応するＰＵＳＣＨ準備時間遅延より大きく、或いは前記第１のＵＥ能力に対応するＰＤＳＣＨ処理時間遅延は、前記第２のＵＥ能力に対応するＰＤＳＣＨ処理時間遅延より大きい、データ処理方法。
【請求項１８】
前記ＵＥの、前記第１のＵＥ能力又は第１のＵＥ能力に対応する第３のパラメータに対応する第４のパラメータを決定することは、
前記ネットワーク側装置から、前記ネットワーク側装置が前記ＵＥの報告した前記第１のＵＥ能力又は第１のＵＥ能力に対応する第３のパラメータに基づいて決定した、クロススロットスケジューリングの第４のパラメータを受信することを含む、請求項１７に記載の方法。
【請求項１９】
前記ネットワーク側装置からクロススロットスケジューリングの第４のパラメータを受信することは、
前記ネットワーク側装置から、前記第４のパラメータを含むＲＲＣシグナリングを受信することと、
前記ネットワーク側装置から、前記第４のパラメータを含むＭＡＣシグナリングを受信することと、
前記ネットワーク側装置から、前記第４のパラメータを含むＤＣＩを受信することと、のいずれか１項を含む、請求項１８に記載の方法。
【請求項２０】
ネットワーク側装置に適用されるデータ処理方法であって、
ＵＥが報告した第１のＵＥ能力又は第１のＵＥ能力に対応する第３のパラメータを受信することと、
前記第１のＵＥ能力又は第１のＵＥ能力に対応する第３のパラメータに基づいて、前記第１のＵＥ能力又は第１のＵＥ能力に対応する第３のパラメータに対応する、ＰＤＣＣＨと前記ＰＤＣＣＨによりスケジュールされるＰＵＳＣＨとの時間間隔、及びＰＤＳＣＨとそれに対応するＰＵＣＣＨでのＡＣＫメッセージ又はＮＡＣＫメッセージとの時間間隔のうちの少なくとも１項である、前記ＵＥの第４のパラメータを決定することと、
前記ＵＥに前記第４のパラメータを送信することと、を含み、
前記ＵＥの現在のＵＥ能力は、第２のＵＥ能力であり、前記第１のＵＥ能力に対応する第３のパラメータは、ＰＵＳＣＨ準備時間遅延及び／又はＰＤＳＣＨ処理時間遅延であり、前記第１のＵＥ能力に対応するＰＵＳＣＨ準備時間遅延は、前記第２のＵＥ能力に対応するＰＵＳＣＨ準備時間遅延より大きく、或いは前記第１のＵＥ能力に対応するＰＤＳＣＨ処理時間遅延は、前記第２のＵＥ能力に対応するＰＤＳＣＨ処理時間遅延より大きい、データ処理方法。
【請求項２１】
ＵＥが報告した第１のＵＥ能力又は第１のＵＥ能力に対応する第３のパラメータを受信した後、前記方法は、
前記ＵＥに、前記ネットワーク側装置が前記第１のＵＥ能力又は第１のＵＥ能力に対応する第３のパラメータを受信したことを示す第２の肯定応答メッセージを送信することをさらに含む、請求項２０に記載の方法。
【請求項２２】
前記ＵＥに前記第４のパラメータを送信することは、
前記ＵＥに前記第４のパラメータを含むＲＲＣシグナリングを送信することと、
前記ＵＥに前記第４のパラメータを含むＭＡＣシグナリングを送信することと、
前記ＵＥに前記第４のパラメータを含むＤＣＩを送信することと、のいずれか１項を含む、請求項２０に記載の方法。
【請求項２３】
ネットワーク側装置にクロススロットスケジューリングの第１のパラメータを送信する第１の送信モジュールと、
前記第１のパラメータであるか又は前記第１のパラメータに対応する、前記ＵＥのクロススロットスケジューリングの第２のパラメータを決定する第１の決定モジュールと、
前記第２のパラメータに基づいて、クロススロットスケジューリングに関連するデータ処理を行う第１の処理モジュールと、を含む、ＵＥ。
【請求項２４】
ＵＥからクロススロットスケジューリングの第１のパラメータを受信する第２の受信モジュールと、
前記ＵＥに前記第１のパラメータに応答したフィードバック情報を送信することにより、前記ＵＥが前記フィードバック情報に応じてクロススロットスケジューリングに関連するデータ処理を行う第２の送信モジュールと、を含む、ネットワーク側装置。
【請求項２５】
ネットワーク側装置に第１のＵＥ能力又は第１のＵＥ能力に対応する第３のパラメータを報告する第３の送信モジュールと、
前記第１のＵＥ能力又は第１のＵＥ能力に対応する第３のパラメータに対応する、ＰＤＣＣＨと前記ＰＤＣＣＨによりスケジュールされるＰＵＳＣＨとの時間間隔、及びＰＤＳＣＨとそれに対応するＰＵＣＣＨでのＡＣＫメッセージ又はＮＡＣＫメッセージとの時間間隔のうちの少なくとも１項である、前記ＵＥのクロススロットスケジューリングの第４のパラメータを決定する第２の決定モジュールと、
前記第４のパラメータに基づいて、クロススロットスケジューリングに関連するデータ処理を行う第２の処理モジュールと、を含み、
前記ＵＥの現在のＵＥ能力は、第２のＵＥ能力であり、前記第１のＵＥ能力に対応する第３のパラメータは、ＰＵＳＣＨ準備時間遅延及び／又はＰＤＳＣＨ処理時間遅延であり、前記第１のＵＥ能力に対応するＰＵＳＣＨ準備時間遅延は、前記第２のＵＥ能力に対応するＰＵＳＣＨ準備時間遅延より大きく、或いは前記第１のＵＥ能力に対応するＰＤＳＣＨ処理時間遅延は、前記第２のＵＥ能力に対応するＰＤＳＣＨ処理時間遅延より大きい、ＵＥ。
【請求項２６】
ＵＥが報告した第１のＵＥ能力又は第１のＵＥ能力に対応する第３のパラメータを受信する第４の受信モジュールと、
前記第１のＵＥ能力又は第１のＵＥ能力に対応する第３のパラメータに基づいて、前記第１のＵＥ能力又は第１のＵＥ能力に対応する第３のパラメータに対応する、ＰＤＣＣＨと前記ＰＤＣＣＨによりスケジュールされるＰＵＳＣＨとの時間間隔、及びＰＤＳＣＨとそれに対応するＰＵＣＣＨでのＡＣＫメッセージ又はＮＡＣＫメッセージとの時間間隔のうちの少なくとも１項である、前記ＵＥの第４のパラメータを決定する第３の決定モジュールと、
前記ＵＥに前記第４のパラメータを送信する第４の送信モジュールと、を含み、
前記ＵＥの現在のＵＥ能力は、第２のＵＥ能力であり、前記第１のＵＥ能力に対応する第３のパラメータは、ＰＵＳＣＨ準備時間遅延及び／又はＰＤＳＣＨ処理時間遅延であり、前記第１のＵＥ能力に対応するＰＵＳＣＨ準備時間遅延は、前記第２のＵＥ能力に対応するＰＵＳＣＨ準備時間遅延より大きく、或いは前記第１のＵＥ能力に対応するＰＤＳＣＨ処理時間遅延は、前記第２のＵＥ能力に対応するＰＤＳＣＨ処理時間遅延より大きい、ネットワーク側装置。
【請求項２７】
プロセッサと、メモリと、前記メモリに記憶され前記プロセッサ上で実行でき、前記プロセッサにより実行されると、請求項１〜８のいずれか１項に記載のデータ処理方法のステップを実現し、或いは請求項１７〜１９のいずれか１項に記載のデータ処理方法のステップを実現するコンピュータプログラムと、を含む、ＵＥ。
【請求項２８】
プロセッサと、メモリと、前記メモリに記憶され前記プロセッサ上で実行でき、前記プロセッサにより実行されると、請求項９〜１６のいずれか１項に記載のデータ処理方法のステップを実現し、或いは請求項２０〜２２のいずれか１項に記載のデータ処理方法のステップを実現するコンピュータプログラムと、を含む、ネットワーク側装置。
【請求項２９】
プロセッサにより実行されると、請求項１〜８のいずれか１項に記載のデータ処理方法のステップ又は請求項９〜１６のいずれか１項に記載のデータ処理方法のステップを実現し、或いは請求項１７〜１９のいずれか１項に記載のデータ処理方法のステップを実現し、或いは請求項２０〜２２のいずれか１項に記載のデータ処理方法のステップを実現するコンピュータプログラムが記憶されているコンピュータ読み取り可能な記憶媒体。
【発明の詳細な説明】
【技術分野】
【０００１】
本願は、２０１８年６月１３日に提出された中国特許出願第２０１８１０６１０１６７．８号の優先権を主張するものであり、その全ての内容は参照により本願に組み込まれるものとする。
本開示の実施例は、通信の技術分野に関し、具体的には、データ処理方法、ユーザ装置及びネットワーク側装置に関する。
【背景技術】
【０００２】
新たな無線技術（Ｎｅｗ  Ｒａｄｉｏ、ＮＲ）リリース１５（Ｒ１５）仕様は、クロススロットスケジューリング（ｃｒｏｓｓ−ｓｌｏｔ  ｓｃｈｅｄｕｌｉｎｇ）をサポートし、クロススロットスケジューリングの原理は、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）とＰＤＣＣＨによりスケジュールされる物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）／物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）との間にＮ個のスロットの間隔を置くことであり、ＰＤＳＣＨにＫ０個のスロット（ｓｌｏｔ）を設定し、ＰＵＳＣＨにＫ２個のスロットを設定してもよく、Ｋ０とＫ２が、基地局により設定され、ダウンリンク制御情報（Ｄｏｗｎｌｉｎｋ  Ｃｏｎｔｒｏｌ  Ｉｎｆｏｒｍａｔｉｏｎ、ＤＣＩ）により指示されるものであり、Ｋ０が、ＰＤＣＣＨと、ＰＤＣＣＨによりスケジュールされるＰＤＳＣＨとの時間間隔を示し、Ｋ２が、ＰＤＣＣＨとＰＤＣＣＨによりスケジュールされるＰＵＳＣＨとの時間間隔を示す。
【０００３】
ＰＤＳＣＨによるクロススロットスケジューリングの利点として、ユーザ装置（Ｕｓｅｒ  Ｅｑｕｉｐｍｅｎｔ、ＵＥ）は、事前にＰＤＳＣＨデータをバッファリングする必要がなく、ＰＤＣＣＨのデコード後にＰＤＣＣＨの指示に応じてＰＤＳＣＨデータを受信し、無線周波数（Ｒａｄｉｏ  Ｆｒｅｑｕｅｎｃｙ、ＲＦ）モジュールとベースバンド（Ｂａｓｅ  Ｂａｎｄ、ＢＢ）モジュールとを選択的に別々にスイッチングし、それにより省電力の効果を取得することができる。
【０００４】
関連技術における仕様は、クロススロットスケジューリングをサポートし、基地局は、ＵＥに、Ｋ０値、Ｋ１値又はＫ２値というクロススロットスケジューリングパラメータを設定することができ、ここで、Ｋ１は、ＰＤＳＣＨとそれに対応するＰＵＣＣＨでの肯定応答（ＡＣＫ）メッセージ又は否定応答（ＮＡＣＫ）メッセージとの時間間隔を示す。しかし、基地局により設定されたＫ０の値、Ｋ１の値又はＫ２の値は、ＵＥの省電力に不適切である可能性があり、例えば基地局により設定されたＫ０の値、Ｋ１の値又はＫ２の値が小さすぎると、ＵＥの省電力の目的を達成することができない。
【０００５】
また、関連技術における仕様は、ＵＥが２種類の処理能力（ＵＥ  ｐｒｏｃｅｓｓｉｎｇ  ｃａｐａｂｉｌｉｔｙ  １及びＵＥ  ｐｒｏｃｅｓｓｉｎｇ  ｃａｐａｂｉｌｉｔｙ  ２）を報告することをサポートし、該能力は、ＵＥの処理時間（ｐｒｏｃｅｓｓｉｎｇ  ｔｉｍｅ）に関連し、各々の能力は、異なるＰＤＳＣＨ処理時間遅延（Ｎ１）と異なるＰＵＳＣＨ準備時間遅延（Ｎ２）に対応する。しかしながら、ＵＥは、いくつかの場合（例えば、電力量がもうすぐ枯渇しようとする場合）、その処理能力を調整することができないため、ＵＥの省電力の目的を達成することができない。
【発明の概要】
【０００６】
本開示の実施例の１つの目的は、データ処理方法、ユーザ装置及びネットワーク側装置を提供して、ＵＥに対して効果的な省電力制御を行うことができないという問題を解決することである。
【０００７】
第１の態様では、ＵＥに適用されるデータ処理方法であって、
ネットワーク側装置にクロススロットスケジューリングの第１のパラメータを送信することと、
前記第１のパラメータであるか又は前記第１のパラメータに対応する、前記ＵＥのクロススロットスケジューリングの第２のパラメータを決定することと、
前記第２のパラメータに基づいて、クロススロットスケジューリングに関連するデータ処理を行うことと、を含む、データ処理方法を提供する。
【０００８】
第２の態様では、ネットワーク側装置に適用されるデータ処理方法であって、
ＵＥからクロススロットスケジューリングの第１のパラメータを受信することと、
前記ＵＥに前記第１のパラメータに応答したフィードバック情報を送信することにより、前記ＵＥが前記フィードバック情報に応じてクロススロットスケジューリングに関連するデータ処理を行うことと、を含む、データ処理方法をさらに提供する。
【０００９】
第３の態様では、ＵＥに適用されるデータ処理方法であって、
ネットワーク側装置に第１のＵＥ能力又は第１のＵＥ能力に対応する第３のパラメータを報告することと、
前記第１のＵＥ能力又は第１のＵＥ能力に対応する第３のパラメータに対応する、ＰＤＣＣＨと前記ＰＤＣＣＨによりスケジュールされるＰＵＳＣＨとの時間間隔及びＰＤＳＣＨとそれに対応するＰＵＣＣＨでのＡＣＫメッセージ又はＮＡＣＫメッセージとの時間間隔のうちの少なくとも１項である、前記ＵＥのクロススロットスケジューリングの第４のパラメータを決定することと、
前記第４のパラメータに基づいて、クロススロットスケジューリングに関連するデータ処理を行うことと、を含み、
前記ＵＥの現在のＵＥ能力は、第２のＵＥ能力であり、前記第１のＵＥ能力に対応する第３のパラメータは、ＰＵＳＣＨ準備時間遅延及び／又はＰＤＳＣＨ処理時間遅延であり、前記第１のＵＥ能力に対応するＰＵＳＣＨ準備時間遅延は、前記第２のＵＥ能力に対応するＰＵＳＣＨ準備時間遅延より大きく、或いは前記第１のＵＥ能力に対応するＰＤＳＣＨ処理時間遅延は、前記第２のＵＥ能力に対応するＰＤＳＣＨ処理時間遅延より大きい、データ処理方法をさらに提供する。
【００１０】
第４の態様では、ネットワーク側装置に適用されるデータ処理方法であって、
ＵＥが報告した第１のＵＥ能力又は第１のＵＥ能力に対応する第３のパラメータを受信することと、
前記第１のＵＥ能力又は第１のＵＥ能力に対応する第３のパラメータに基づいて、前記第１のＵＥ能力又は第１のＵＥ能力に対応する第３のパラメータに対応する、ＰＤＣＣＨと前記ＰＤＣＣＨによりスケジュールされるＰＵＳＣＨとの時間間隔、及びＰＤＳＣＨとそれに対応するＰＵＣＣＨでのＡＣＫメッセージ又はＮＡＣＫメッセージとの時間間隔のうちの少なくとも１項である、前記ＵＥの第４のパラメータを決定することと、
前記ＵＥに前記第４のパラメータを送信することと、を含み、
前記ＵＥの現在のＵＥ能力は、第２のＵＥ能力であり、前記第１のＵＥ能力に対応する第３のパラメータは、ＰＵＳＣＨ準備時間遅延及び／又はＰＤＳＣＨ処理時間遅延であり、前記第１のＵＥ能力に対応するＰＵＳＣＨ準備時間遅延は、前記第２のＵＥ能力に対応するＰＵＳＣＨ準備時間遅延より大きく、或いは前記第１のＵＥ能力に対応するＰＤＳＣＨ処理時間遅延は、前記第２のＵＥ能力に対応するＰＤＳＣＨ処理時間遅延より大きい、データ処理方法をさらに提供する。
【００１１】
第５の態様では、
ネットワーク側装置にクロススロットスケジューリングの第１のパラメータを送信する第１の送信モジュールと、
前記第１のパラメータであるか又は前記第１のパラメータに対応する、前記ＵＥのクロススロットスケジューリングの第２のパラメータを決定する第１の決定モジュールと、
前記第２のパラメータに基づいて、クロススロットスケジューリングに関連するデータ処理を行う第１の処理モジュールと、を含む、ＵＥをさらに提供する。
【００１２】
第６の態様では、
ＵＥからクロススロットスケジューリングの第１のパラメータを受信する第２の受信モジュールと、
前記ＵＥに前記第１のパラメータに応答したフィードバック情報を送信することにより、前記ＵＥが前記フィードバック情報に応じてクロススロットスケジューリングに関連するデータ処理を行う第２の送信モジュールと、を含む、ネットワーク側装置をさらに提供する。
【００１３】
第７の態様では、
ネットワーク側装置に第１のＵＥ能力又は第１のＵＥ能力に対応する第３のパラメータを報告する第３の送信モジュールと、
前記第１のＵＥ能力又は第１のＵＥ能力に対応する第３のパラメータに対応する、ＰＤＣＣＨと前記ＰＤＣＣＨによりスケジュールされるＰＵＳＣＨとの時間間隔、及びＰＤＳＣＨとそれに対応するＰＵＣＣＨでのＡＣＫメッセージ又はＮＡＣＫメッセージとの時間間隔のうちの少なくとも１項である、前記ＵＥのクロススロットスケジューリングの第４のパラメータを決定する第２の決定モジュールと、
前記第４のパラメータに基づいて、クロススロットスケジューリングに関連するデータ処理を行う第２の処理モジュールと、を含み、
前記ＵＥの現在のＵＥ能力は、第２のＵＥ能力であり、前記第１のＵＥ能力に対応する第３のパラメータは、ＰＵＳＣＨ準備時間遅延及び／又はＰＤＳＣＨ処理時間遅延であり、前記第１のＵＥ能力に対応するＰＵＳＣＨ準備時間遅延は、前記第２のＵＥ能力に対応するＰＵＳＣＨ準備時間遅延より大きく、或いは前記第１のＵＥ能力に対応するＰＤＳＣＨ処理時間遅延は、前記第２のＵＥ能力に対応するＰＤＳＣＨ処理時間遅延より大きい、ＵＥをさらに提供する。
【００１４】
第８の態様では、
ＵＥが報告した第１のＵＥ能力又は第１のＵＥ能力に対応する第３のパラメータを受信する第４の受信モジュールと、
前記第１のＵＥ能力又は第１のＵＥ能力に対応する第３のパラメータに基づいて、前記第１のＵＥ能力又は第１のＵＥ能力に対応する第３のパラメータに対応する、ＰＤＣＣＨと前記ＰＤＣＣＨによりスケジュールされるＰＵＳＣＨとの時間間隔、及びＰＤＳＣＨとそれに対応するＰＵＣＣＨでのＡＣＫメッセージ又はＮＡＣＫメッセージとの時間間隔のうちの少なくとも１項である、前記ＵＥの第４のパラメータを決定する第３の決定モジュールと、
前記ＵＥに前記第４のパラメータを送信する第４の送信モジュールと、を含み、
前記ＵＥの現在のＵＥ能力は、第２のＵＥ能力であり、前記第１のＵＥ能力に対応する第３のパラメータは、ＰＵＳＣＨ準備時間遅延及び／又はＰＤＳＣＨ処理時間遅延であり、前記第１のＵＥ能力に対応するＰＵＳＣＨ準備時間遅延は、前記第２のＵＥ能力に対応するＰＵＳＣＨ準備時間遅延より大きく、或いは前記第１のＵＥ能力に対応するＰＤＳＣＨ処理時間遅延は、前記第２のＵＥ能力に対応するＰＤＳＣＨ処理時間遅延より大きい、ネットワーク側装置をさらに提供する。
【００１５】
第９の態様では、プロセッサと、メモリと、前記メモリに記憶され前記プロセッサ上で実行でき、前記プロセッサにより実行されると、第１の態様に記載のデータ処理方法のステップを実現し、或いは第３の態様に記載のデータ処理方法のステップを実現するコンピュータプログラムと、を含む、ＵＥをさらに提供する。
【００１６】
第１０の態様では、プロセッサと、メモリと、前記メモリに記憶され前記プロセッサ上で実行でき、前記プロセッサにより実行されると、第２の態様に記載のデータ処理方法のステップを実現し、或いは第４の態様に記載のデータ処理方法のステップを実現するコンピュータプログラムと、を含む、ネットワーク側装置をさらに提供する。
【００１７】
第１１の態様では、プロセッサにより実行されると、第１の態様、第２の態様、第３の態様又は第４の態様に記載のデータ処理方法のステップを実現するコンピュータプログラムが記憶されているコンピュータ読み取り可能な記憶媒体をさらに提供する。
【００１８】
本開示の実施例によれば、ＵＥは、報告されたクロススロットスケジューリングの関連パラメータに基づいて、クロススロットスケジューリングに関連するデータ処理を行うことにより、クロススロットスケジューリングに関連するデータ処理がＵＥの省電力需要を満たして、より良好な省電力の効果を達成することができる。
【図面の簡単な説明】
【００１９】
以下の選択可能な実施形態の詳細な説明を読むことにより、他の様々な利点及び利益は当業者にとって明かになる。図面は、選択可能な実施形態を示すことのみを目的とするものであり、本開示を限定するものと解釈されるべきではない。また、図面全体において、同じ参照符号は同じ部材を示す。
【００２０】
【図１】本開示の実施例に係る無線通信システムのアーキテクチャの概略図である。
【図２】本開示の実施例に係るデータ処理方法の第１のフローチャートである。
【図３】本開示の実施例に係るデータ処理方法の第２のフローチャートである。
【図４】本開示の実施例に係るデータ処理方法の第３のフローチャートである。
【図５】本開示の実施例に係るデータ処理方法の第４のフローチャートである。
【図６】本発明の実施例に係るユーザ装置の第１の構成図である。
【図７】本発明の実施例に係るネットワーク側装置の第１の構成図である。
【図８】本発明の実施例に係るユーザ装置の第２の構成図である。
【図９】本発明の実施例に係るネットワーク側装置の第２の構成図である。
【図１０】本発明の実施例に係るユーザ装置の第３の構成図である。
【図１１】本発明の実施例に係るネットワーク側装置の第３の構成図である。
【発明を実施するための形態】
【００２１】
以下、本開示の実施例における図面を参照しながら、本開示の実施例における技術手段を明確かつ完全的に説明する。明らかに、説明される実施例は、本開示の実施例の一部に過ぎず、全てではない。本開示の実施例に基づいて、当業者が創造的な労働をしない前提で得られる他の全ての実施例は、いずれも本開示の保護範囲に属するものである。
【００２２】
本願の明細書及び特許請求の範囲における用語「含む」及びその任意の変形は、非排他的な包含をカバーすることを意図し、例えば、一連のステップ又はユニットを含むプロセス、方法、システム、製品又は装置は、明確に示されたステップ又はユニットに限定されず、明確に示されていないか又はこれらのプロセス、方法、製品又は装置に固有の、他のステップ又はユニットを含んでもよい。また、明細書及び特許請求の範囲において使用される「及び／又は」は、接続している対象の少なくとも１つを表し、例えば、Ａ及び／又はＢは、Ａのみが存在すること、Ｂのみが存在すること、Ａ及びＢの両方が存在すること、の３つの場合を表す。
【００２３】
本開示の実施例では、「例示的」又は「例えば」などの用語は、例、例証又は例示として表すためのものである。本開示の実施例で「例示的」又は「例えば」と説明される任意の実施例又は設計案は、他の実施例又は設計案よりも好ましい又は有利であると解釈されるべきではない。具体的には、使用される「例示的」又は「例えば」などの用語は、関連する概念を具体的に提示することを目的とする。
【００２４】
本開示の実施例の技術手段をよりよく理解するために、まず、以下の技術的ポイントを説明する。
【００２５】
一、ＤＣＩフォーマット（ＤＣＩ  ｆｏｒｍａｔ）について
関連技術では、ＮＲにおいて、以下のようにＤＣＩフォーマットを定義している。
【００２６】
【表１】
2021527985.tif 000003
【００２７】
二、ＵＥのＰＤＳＣＨ処理時間遅延について
ＮＲは、異なるＰＤＳＣＨ処理時間遅延（Ｎ１）を備える２種類のＵＥ能力、すなわち、それぞれＵＥ  ｐｒｏｃｅｓｓｉｎｇ  ｃａｐａｂｉｌｉｔｙ  １及びＵＥ  ｐｒｏｃｅｓｓｉｎｇ  ｃａｐａｂｉｌｉｔｙ  ２に対応するＰＤＳＣＨ処理能力１とＰＤＳＣＨ処理能力２とをサポートする。ＰＤＳＣＨ処理能力１は、基本的なＵＥ能力に属する一方、ＰＤＳＣＨ処理能力２のＵＥのＰＤＳＣＨ処理時間遅延はより短い。
【００２８】
三、ＵＥのＰＵＳＣＨ準備時間遅延について、
ＮＲは、異なるＰＵＳＣＨ準備時間遅延（Ｎ２）を備える２種類のＵＥ能力、すなわち、それぞれＵＥ  ｐｒｏｃｅｓｓｉｎｇ  ｃａｐａｂｉｌｉｔｙ  １及びＵＥ  ｐｒｏｃｅｓｓｉｎｇ  ｃａｐａｂｉｌｉｔｙ  ２に対応するＰＵＳＣＨ時間遅延能力１とＰＵＳＣＨ時間遅延能力２とをサポートする。ＰＵＳＣＨ時間遅延能力１は、基本的なＵＥ能力に属する一方、ＰＵＳＣＨ時間遅延能力２のＵＥのＰＵＳＣＨ準備時間遅延はより短い。
【００２９】
以下、図面を参照しながら、本開示の実施例を説明する。本開示の実施例に係るデータ処理方法、ユーザ装置及びネットワーク側装置は、無線通信システムに適用できる。該無線通信システムとしては、５Ｇシステム又は発展型ロングタームエボリューション（Ｅｖｏｌｖｅｄ  Ｌｏｎｇ  Ｔｅｒｍ  Ｅｖｏｌｕｔｉｏｎ、ｅＬＴＥ）システム又は後続の発展型通信システムを採用してよい。図１を参照して、本開示の実施例に係る無線通信システムのアーキテクチャ概略図である。図１に示すように、該無線通信システムは、ネットワーク側装置１０と、例えばＵＥ１１と表記され、ネットワーク側装置１０と通信できるユーザ装置を含んでよい。実際の応用において、上記各装置間の接続は無線接続であってもよく、各装置間の接続関係を簡単かつ直感的に表すために、図１において実線で示す。
【００３０】
なお、上記通信システムは、複数のＵＥを含んでもよく、ネットワーク側装置は、複数のＵＥと通信（シグナリング伝送又はデータ伝送）することができる。
【００３１】
本開示の実施例に係るネットワーク側装置１０は、基地局であってもよく、該基地局は、一般的に使用される基地局であってもよく、進化型基地局（ｅｖｏｌｖｅｄ  ｎｏｄｅ  ｂａｓｅ  ｓｔａｔｉｏｎ、ｅＮＢ）であってもよく、５Ｇシステムにおけるネットワーク側装置（例えば、次世代基地局（ｎｅｘｔ  ｇｅｎｅｒａｔｉｏｎ  ｎｏｄｅ  ｂａｓｅ  ｓｔａｔｉｏｎ、ｇＮＢ）又は送受信ポイント（ｔｒａｎｓｍｉｓｓｉｏｎ  ａｎｄ  ｒｅｃｅｐｔｉｏｎ  ｐｏｉｎｔ、ＴＲＰ））又はセルｃｅｌｌなどの装置であってもよい。
【００３２】
本開示の実施例に係るユーザ装置は、携帯電話、タブレットコンピュータ、ノートブックコンピュータ、ウルトラモバイルパーソナルコンピュータ（Ｕｌｔｒａ−Ｍｏｂｉｌｅ  Ｐｅｒｓｏｎａｌ  Ｃｏｍｐｕｔｅｒ、ＵＭＰＣ）、ネットブック又はパーソナルデジタルアシスタント（Ｐｅｒｓｏｎａｌ  Ｄｉｇｉｔａｌ  Ａｓｓｉｓｔａｎｔ、ＰＤＡ）などであってもよい。
【００３３】
図２を参照して、本開示の実施例は、データ処理方法の別の流れを提供し、該方法は、ＵＥによって実行され、具体的なステップが以下のステップ２０１〜ステップ２０３のとおりである。
【００３４】
ステップ２０１では、ネットワーク側装置にクロススロットスケジューリング（ｃｒｏｓｓ−ｓｌｏｔ  ｓｃｈｅｄｕｌｉｎｇ）の第１のパラメータを送信する。
【００３５】
本開示の実施例では、好ましくは、ステップ２０１では、ＵＥは、ネットワーク側装置に１つ以上のＤＣＩフォーマット（又は特定のＤＣＩフォーマットと呼ばれる）のクロススロットスケジューリングの第１のパラメータを送信し、例えば、ＵＥは、一部のＤＣＩフォーマットに対応するクロススロットスケジューリングの第１のパラメータのみを報告し、一部のＤＣＩフォーマットは、ＤＣＩ  ｆｏｒｍａｔ  ０−０、ＤＣＩ  ｆｏｒｍａｔ  ０−１、ＤＣＩ  ｆｏｒｍａｔ  １−０、ＤＣＩ  ｆｏｒｍａｔ  １−１などあってもよく、他のＤＣＩ  ｆｏｒｍａｔであってもよい。
或いは、ステップ２０１では、ＵＥは、ネットワーク側装置に、１つ以上の無線ネットワーク一時識別子（Ｒａｄｉｏ  Ｎｅｔｗｏｒｋ  Ｔｅｍｐｏｒａｒｙ  Ｉｄｅｎｔｉｆｉｅｒ、ＲＮＴＩ）（又は特定のＲＮＴＩと呼ばれる）に対応するクロススロットスケジューリングの第１のパラメータを送信し、ＲＮＴＩは、セル無線ネットワーク一時識別子（Ｃ−ＲＮＴＩ）、一時的セル無線ネットワーク一時識別子（ＴＣ−ＲＮＴＩ）、システム情報−無線ネットワーク一時識別子（ＳＩ−ＲＮＴＩ）、ページング用無線ネットワーク一時識別子（Ｐ−ＲＮＴＩ）、半持続的スケジューリング−無線ネットワーク一時識別子（ＳＰＳ−ＲＮＴＩ）、構成スケジューリング−無線ネットワーク一時識別子（ＣＳ−ＲＮＴＩ）、中断伝送−無線ネットワーク一時識別子（ＩＮＴ−ＲＮＴＩ）、送信電力制御−サウンディング参照信号−無線ネットワーク一時識別子（ＴＰＣ−ＳＲＳ−ＲＮＴＩ）、送信電力制御−物理アップリンク共有チャネル−無線ネットワーク一時識別子（ＴＰＣ−ＰＵＳＣＨ−ＲＮＴＩ）、送信電力制御−物理アップリンク制御チャネル−無線ネットワーク一時識別子（ＴＰＣ−ＰＵＣＣＨ−ＲＮＴＩ）、半永続的−チャネル状態情報−無線ネットワーク一時識別子（ＳＰ−ＣＳＩ−ＲＮＴＩ）、ランダムアクセス−無線ネットワーク一時識別子（ＲＡ−ＲＮＴＩ）及びスロットフォーマット指示−無線ネットワーク一時識別子（ＳＦＩ−ＲＮＴＩ）などのいずれか１項を含み、
或いは、ステップ２０１では、ＵＥは、ネットワーク側装置に、１つ以上のＰＤＣＣＨサーチスペースタイプに対応するクロススロットスケジューリングの第１のパラメータを送信し、サーチスペースタイプは、共通サーチスペースタイプ１（Ｔｙｐｅ  １  ＣＳＳ）、共通サーチスペースタイプ２（Ｔｙｐｅ  ２  ＣＳＳ）、共通サーチスペースタイプ３（Ｔｙｐｅ  ３  ＣＳＳ）、ＵＥ専用サーチスペースなどのいずれか１項を含み、
或いは、ステップ２０１では、ＵＥは、ネットワーク側装置に、１つ以上のＰＤＣＣＨサーチスペースに対応するクロススロットスケジューリングの第１のパラメータを送信し、
或いは、ステップ２０１では、ＵＥは、ネットワーク側装置に、１つ以上の制御リソースセット（Ｃｏｎｔｒｏｌ−ｒｅｓｏｕｒｃｅ  ＳＥＴ、ＣＯＲＥＳＥＴ）に対応するクロススロットスケジューリングの第１のパラメータを送信する。
【００３６】
ステップ２０２では、上記第１のパラメータであるか又は第１のパラメータに対応する、ＵＥのクロススロットスケジューリングの第２のパラメータを決定する。
【００３７】
ステップ２０３では、第２のパラメータに基づいて、ＵＥのクロススロットスケジューリングに関連するデータ処理を行う。
【００３８】
本開示の実施例では、ステップ２０２では、ＵＥは、ネットワーク側装置が第１のパラメータに基づいて決定したクロススロットスケジューリングの第２のパラメータをネットワーク側装置から受信する。
【００３９】
例えば、ＵＥは、
ネットワーク側装置から、第２のパラメータを含む無線リソース制御（Ｒａｄｉｏ  Ｒｅｓｏｕｒｃｅ  Ｃｏｎｔｒｏｌ、ＲＲＣ）シグナリングを受信する方式１と、
ネットワーク側装置から、第２のパラメータを含む媒体アクセス制御（Ｍｅｄｉａ  Ａｃｃｅｓｓ  Ｃｏｎｔｒｏｌ、ＭＡＣ）シグナリングを受信する方式２と、
ネットワーク側装置から、第２のパラメータを含むダウンリンク制御情報（Ｄｏｗｎｌｉｎｋ  Ｃｏｎｔｒｏｌ  Ｉｎｆｏｒｍａｔｉｏｎ、ＤＣＩ）を受信する方式３と、により第２のパラメータを受信することができる。
【００４０】
本開示の実施例では、ＵＥは、クロススロットスケジューリングの第１のパラメータ（又は関連パラメータと呼ばれる）をネットワーク側装置（例えば、基地局）に報告し、ネットワーク側装置は、ＲＲＣ、ＭＡＣ又はＤＣＩによりＵＥのクロススロットスケジューリングの第２のパラメータを設定し、ＵＥは、該第２のパラメータに基づいてクロススロットスケジューリングに関連するデータ処理を行い、或いはＵＥは、報告された第１のパラメータに基づいてクロススロットスケジューリングに関連するデータ処理を行う。
【００４１】
本開示の実施例では、ステップ２０２より前、方法は、ネットワーク側装置が第１のパラメータを受信したことを示す第１の肯定応答メッセージをネットワーク側装置から受信することをさらに含んでもよい。
【００４２】
本開示の実施例では、好ましくは、第１のパラメータは、ＵＥのハードウェア能力（又はハードウェアアーキテクチャ能力と呼ばれる）及び／又はＵＥの省電力需要に関連する。例えば、ＵＥのハードウェア能力が第１のハードウェア能力である場合、報告する第１のパラメータ、例えばＫ０、Ｋ１又はＫ２の値はａであり、ＵＥのハードウェア能力が第２のハードウェア能力である場合、報告する第１のパラメータ、例えばＫ０、Ｋ１又はＫ２の値はｂであり、つまり、ＵＥは、異なるハードウェア能力に応じて異なる第１のパラメータを報告することができ、或いは、例えば、ＵＥの省電力需要が第１の省電力需要である場合、報告する第１のパラメータ、例えばＫ０、Ｋ１又はＫ２の値はｃであり、ＵＥの省電力需要が第２の省電力需要である場合、報告する第１のパラメータ、例えばＫ０、Ｋ１又はＫ２の値はｄであり、つまり、ＵＥは、異なる省電力需要に応じて異なる第１のパラメータを報告することができる。
【００４３】
本開示の実施例では、好ましくは、第１のパラメータは、
時間間隔の単位がシンボル数、スロット数又はミリ秒であってよく、値の範囲がｎ１、ｎ２、ｎ３、ｎ４、ｎ５、ｎ８、ｎ１０、ｎ１６、ｎ２０及びｎ３２など（ここで、ｎ１は１個のスロットを表し、ｎ２０は２０個のスロットを表す）を含むＫ０の値であってよい、ＰＤＣＣＨとＰＤＣＣＨによりスケジュールされるＰＤＳＣＨとの時間間隔と、
時間間隔の単位がシンボル数、スロット数又はミリ秒であってよく、値の範囲がｎ０、ｎ１、ｎ２、ｎ３、ｎ４、ｎ５、ｎ６、ｎ７、ｎ８、ｎ１０、ｎ１６、ｎ２０及びｎ３２など（ここで、ｎ０は０個のスロットを表し、ｎ３２は３２個のスロットを表す）を含むＫ２の値であってよい、ＰＤＣＣＨとＰＤＣＣＨによりスケジュールされるＰＵＳＣＨとの時間間隔と、
時間間隔の単位がシンボル数、スロット数又はミリ秒であってよく、値の範囲が０〜８個のスロットを含むＫ１の値である、ＰＤＳＣＨとそれに対応するＰＵＣＣＨでの肯定応答（ＡＣＫ）メッセージ又は否定応答（ＮＡＣＫ）メッセージとの時間間隔と、の少なくとも１項を含む。
【００４４】
本開示の実施例では、好ましくは、第１のパラメータは、以下の１項以上の時間間隔に対応するＵＥ能力（ＵＥ  ｃａｐａｂｉｌｉｔｙ）タイプを含む。
【００４５】
ＰＤＣＣＨとＰＤＣＣＨによりスケジュールされるＰＤＳＣＨとの時間間隔：該時間間隔の単位がシンボル数、スロット数又はミリ秒であってもよく、該時間間隔はＫ０の値であってもよく、該時間間隔はＰＤＣＣＨとＰＤＣＣＨによりスケジュールされるＰＤＳＣＨとが１つのキャリアに属しかつ同一又は異なるニューメロロジー（Ｎｕｍｅｒｏｌｏｇｙ）を有するシナリオに適用され、またＰＤＣＣＨとＰＤＣＣＨによりスケジュールされるＰＤＳＣＨとが２つの異なるキャリアに属しかつ同一又は異なるＮｕｍｅｒｏｌｏｇｙを有するシナリオにも適用される。
【００４６】
ＰＤＣＣＨとＰＤＣＣＨによりスケジュールされるＰＵＳＣＨとの時間間隔：該時間間隔の単位がシンボル数、スロット数又はミリ秒であってもよく、該時間間隔はＫ２の値であってもよく、該時間間隔はＰＤＣＣＨとＰＤＣＣＨによりスケジュールされるＰＵＳＣＨとが１つのキャリアに属しかつ同一又は異なるニューメロロジー（Ｎｕｍｅｒｏｌｏｇｙ）を有するシナリオに適用され、またＰＤＣＣＨとＰＤＣＣＨによりスケジュールされるＰＵＳＣＨとが２つの異なるキャリアに属しかつ同一又は異なるＮｕｍｅｒｏｌｏｇｙを有するシナリオにも適用される。
【００４７】
ＰＤＳＣＨとそれに対応するＰＵＣＣＨでの肯定応答（ＡＣＫ）メッセージ又は否定応答（ＮＡＣＫ）メッセージとの時間間隔：該時間間隔の単位がシンボル数、スロット数又はミリ秒であってもよく、該時間間隔はＫ１の値であってもよい。該時間間隔は、ＰＤＳＣＨとそれに対応するＰＵＣＣＨでの肯定応答（ＡＣＫ）メッセージ又は否定応答（ＮＡＣＫ）メッセージとが１つのキャリアに属しかつ同一又は異なるニューメロロジー（Ｎｕｍｅｒｏｌｏｇｙ）を有するシナリオに適用され、またＰＤＳＣＨとそれに対応するＰＵＣＣＨでの肯定応答（ＡＣＫ）メッセージ又は否定応答（ＮＡＣＫ）メッセージとが２つの異なるキャリアに属しかつ同一又は異なるＮｕｍｅｒｏｌｏｇｙを有するシナリオにも適用される。
【００４８】
本開示の実施例では、異なるＵＥ能力タイプは、異なるＫ０の値、Ｋ１の値及び／又はＫ２の値に対応し、ＵＥがＵＥ能力タイプを報告すれば、ネットワーク側装置は予め設定された対応関係に基づいて、対応するＫ０の値、Ｋ１の値及び／又はＫ２の値を決定することができ、ＵＥがＫ０の値、Ｋ１の値及び／又はＫ２の値を直接報告することに比べて、ＵＥが占有するリソースを効果的に低減する。
【００４９】
本開示の実施例では、ＵＥは、ネットワーク側装置にクロススロットスケジューリングの関連パラメータを報告し、ＵＥは、ネットワーク側装置から送信したクロススロットスケジューリングの関連パラメータに基づいて、又はＵＥが報告したクロススロットスケジューリングの関連パラメータに基づいて、クロススロットスケジューリングに関連するデータ処理を行うことにより、クロススロットスケジューリングに関連するデータ処理がＵＥの省電力需要を満たして、最適な省電力の効果を達成する。
【００５０】
図３を参照して、本開示の実施例は、データ処理方法の更なる別の流れを提供し、該方法は、ネットワーク側装置によって実行され、具体的なステップが以下のステップ３０１〜ステップ３０２のとおりである。
【００５１】
ステップ３０１では、ＵＥからクロススロットスケジューリングの第１のパラメータを受信する。
【００５２】
本開示の実施例では、好ましくは、ステップ３０１では、ネットワーク側装置は、ＵＥから、１つ以上のＤＣＩフォーマットに対応するクロススロットスケジューリングの第１のパラメータを受信し、例えば、ネットワーク側装置は、ＵＥが送信した、一部のＤＣＩフォーマットに対応するクロススロットスケジューリングの第１のパラメータのみを受信する。一部のＤＣＩフォーマットは、ＤＣＩ  ｆｏｒｍａｔ  ０−０、ＤＣＩ  ｆｏｒｍａｔ  ０−１、ＤＣＩ  ｆｏｒｍａｔ  １−０、ＤＣＩ  ｆｏｒｍａｔ  １−１又は他のＤＣＩ  ｆｏｒｍａｔなどであってもよい。
【００５３】
或いは、ステップ３０１では、ネットワーク側装置は、ＵＥから、１つ以上の無線ネットワーク一時識別子ＲＮＴＩに対応するクロススロットスケジューリングの第１のパラメータを受信し、ＲＮＴＩは、セル無線ネットワーク一時識別子（Ｃ−ＲＮＴＩ）、一時的セル無線ネットワーク一時識別子（ＴＣ−ＲＮＴＩ）、システム情報−無線ネットワーク一時識別子（ＳＩ−ＲＮＴＩ）、ページング用無線ネットワーク一時識別子（Ｐ−ＲＮＴＩ）、半持続的スケジューリング−無線ネットワーク一時識別子（ＳＰＳ−ＲＮＴＩ）、構成スケジューリング−無線ネットワーク一時識別子（ＣＳ−ＲＮＴＩ）、中断伝送−無線ネットワーク一時識別子（ＩＮＴ−ＲＮＴＩ）、送信電力制御−サウンディング参照信号−無線ネットワーク一時識別子（ＴＰＣ−ＳＲＳ−ＲＮＴＩ）、送信電力制御−物理アップリンク共有チャネル−無線ネットワーク一時識別子（ＴＰＣ−ＰＵＳＣＨ−ＲＮＴＩ）、送信電力制御−物理アップリンク制御チャネル−無線ネットワーク一時識別子（ＴＰＣ−ＰＵＣＣＨ−ＲＮＴＩ）、半永続的−チャネル状態情報−無線ネットワーク一時識別子（ＳＰ−ＣＳＩ−ＲＮＴＩ）、ランダムアクセス−無線ネットワーク一時識別子（ＲＡ−ＲＮＴＩ）及びスロットフォーマット指示−無線ネットワーク一時識別子（ＳＦＩ−ＲＮＴＩ）などのいずれか１項を含む。
【００５４】
或いは、ステップ３０１では、ネットワーク側装置は、ＵＥから、１つ以上のＰＤＣＣＨサーチスペースタイプに対応するクロススロットスケジューリングの第１のパラメータを受信し、サーチスペースタイプは、共通サーチスペースタイプ１（Ｔｙｐｅ  １  ＣＳＳ）、共通サーチスペースタイプ２（Ｔｙｐｅ  ２  ＣＳＳ）、共通サーチスペースタイプ３（Ｔｙｐｅ  ３  ＣＳＳ）、ＵＥ専用サーチスペースなどのいずれか１項を含む。
【００５５】
或いは、ステップ３０１では、ネットワーク側装置は、ＵＥから、１つ以上のＰＤＣＣＨサーチスペースに対応するクロススロットスケジューリングの第１のパラメータを受信する。
【００５６】
或いは、ステップ３０１では、ネットワーク側装置は、ＵＥから、１つ以上のＣＯＲＥＳＥＴに対応するクロススロットスケジューリングの第１のパラメータを受信する。
【００５７】
ステップ３０２では、ＵＥに第１のパラメータに応答したフィードバック情報を送信することにより、上記ＵＥが上記フィードバック情報に応じてクロススロットスケジューリングに関連するデータ処理を行う。
【００５８】
好ましくは、フィードバック情報は、ネットワーク側装置が第１のパラメータを受信したことを示す第１の肯定応答メッセージを含み、或いは、フィードバック情報は、ネットワーク側装置が第１のパラメータに基づいて決定した第２のパラメータを含む。
【００５９】
本開示の実施例では、好ましくは、ステップ３０２では、ネットワーク側装置は、
ＵＥにフィードバック情報を含むＲＲＣシグナリングを送信する方式（１）と、
ＵＥにフィードバック情報を含むＭＡＣシグナリングを送信する方式（２）と、
ＵＥにフィードバック情報を含むＤＣＩを送信する方式（３）と、のいずれかの方式によりフィードバック情報を送信することができる。
【００６０】
本開示の実施例では、好ましくは、第１のパラメータは、ＵＥのハードウェア能力（又はハードウェアアーキテクチャ能力と呼ばれる）及び／又はＵＥの省電力需要に関連する。例えば、ＵＥのハードウェア能力が第１のハードウェア能力である場合、報告する第１のパラメータ、例えばＫ０の値はａであり、ＵＥのハードウェア能力が第２のハードウェア能力である場合、報告する第１のパラメータ、例えばＫ０の値はｂであり、つまり、ＵＥは、異なるハードウェア能力に応じて異なる第１のパラメータを報告することができ、或いは、例えば、ＵＥの省電力需要が第１の省電力需要である場合、報告する第１のパラメータ、例えばＫ０の値はｃであり、ＵＥの省電力需要が第２の省電力需要である場合、報告する第１のパラメータ、例えばＫ０の値はｄであり、つまり、ＵＥは、異なる省電力需要に応じて異なる第１のパラメータを報告することができる。上記Ｋ０は、Ｋ１又はＫ２であってもよい。
【００６１】
本開示の実施例では、好ましくは、第１のパラメータは、
時間間隔の単位がシンボル数、スロット数又はミリ秒であってもよく、Ｋ０の値である、ＰＤＣＣＨとＰＤＣＣＨによりスケジュールされるＰＤＳＣＨとの時間間隔と、
時間間隔の単位がシンボル数、スロット数又はミリ秒であってもよく、Ｋ２の値である、ＰＤＣＣＨとＰＤＣＣＨによりスケジュールされるＰＵＳＣＨとの時間間隔と、
時間間隔の単位がシンボル数、スロット数又はミリ秒であってもよく、Ｋ１の値である、ＰＤＳＣＨとそれに対応するＰＵＣＣＨでの肯定応答（ＡＣＫ）メッセージ又は否定応答（ＮＡＣＫ）メッセージとの時間間隔と、の少なくとも１項を含む。
【００６２】
本開示の実施例では、好ましくは、第１のパラメータは、
時間間隔の単位がシンボル数、スロット数又はミリ秒であってよく、値の範囲がｎ１、ｎ２、ｎ３、ｎ４、ｎ５、ｎ８、ｎ１０、ｎ１６、ｎ２０及びｎ３２などを含むＫ０の値であってよい、ＰＤＣＣＨとＰＤＣＣＨによりスケジュールされるＰＤＳＣＨとの時間間隔と、
時間間隔の単位がシンボル数、スロット数又はミリ秒であってよく、値の範囲がｎ０、ｎ１、ｎ２、ｎ３、ｎ４、ｎ５、ｎ６、ｎ７、ｎ８、ｎ１０、ｎ１６、ｎ２０及びｎ３２などを含むＫ２の値であってよい、ＰＤＣＣＨとＰＤＣＣＨによりスケジュールされるＰＵＳＣＨとの時間間隔と、
時間間隔の単位がシンボル数、スロット数又はミリ秒であってよく、値の範囲が０〜８個のスロットを含むＫ１の値であってよい、ＰＤＳＣＨとそれに対応するＰＵＣＣＨでの肯定応答（ＡＣＫ）メッセージ又は否定応答（ＮＡＣＫ）メッセージとの時間間隔と、のうちの１項以上に対応するＵＥ能力（ＵＥ  ｃａｐａｂｉｌｉｔｙ）タイプを含む。
【００６３】
本開示の実施例では、異なるＵＥ能力タイプは、異なるＫ０の値、Ｋ１の値及び／又はＫ２の値に対応し、ＵＥがＵＥ能力タイプを報告すれば、ネットワーク側装置は予め設定された対応関係（例えば、ＵＥ能力タイプとＫ０の値、Ｋ１の値及び／又はＫ２の値との対応関係テーブール）に基づいて、対応するＫ０の値、Ｋ１の値及び／又はＫ２の値を決定することができ、ＵＥがＫ０の値、Ｋ１の値及び／又はＫ２の値を直接報告することに比べて、ＵＥ報告が占有するリソースを効果的に低減することができる。
【００６４】
本開示の実施例では、ネットワーク側装置は、設定されたクロススロットスケジューリングの関連パラメータがＵＥの省電力需要を満たすように、ＵＥの要求に応じて、ＲＲＣ、ＭＡＣ又はＤＣＩによりＵＥのクロススロットスケジューリングの関連パラメータを設定（又は再設定）することができる。
【００６５】
図４を参照して、本開示の実施例は、データ処理方法の更なる流れを提供し、この方法は、ＵＥによって実行され、具体的なステップが以下のステップ４０１〜ステップ４０３のとおりである。
【００６６】
ステップ４０１では、ネットワーク側装置に第１のＵＥ能力又は第１のＵＥ能力に対応する第３のパラメータを報告し、例えば、第２のＵＥ能力（例えばＵＥ  ｐｒｏｃｅｓｓｉｎｇ  ｃａｐａｂｉｌｉｔｙ  ２）を備えるＵＥがいくつかの場合、例えば電力残量が低い場合に、ネットワーク側装置に第１のＵＥ能力（例えばＵＥ  ｐｒｏｃｅｓｓｉｎｇ  ｃａｐａｂｉｌｉｔｙ  １）又は第１のＵＥ能力に対応する第３のパラメータ（例えばＵＥ  ｐｒｏｃｅｓｓｉｎｇ  ｃａｐａｂｉｌｉｔｙ  １が対応するＮ１及び／又はＮ２の値）を報告する。
【００６７】
ステップ４０２では、上記第１のＵＥ能力又は第１のＵＥ能力に対応する第３のパラメータに対応する、ＰＤＣＣＨと上記ＰＤＣＣＨによりスケジュールされるＰＵＳＣＨとの時間間隔（例えばＫ２）、及びＰＤＳＣＨとそれに対応するＰＵＣＣＨでのＡＣＫメッセージ又はＮＡＣＫメッセージとの時間間隔（例えばＫ１）のうちの少なくとも１項である、ＵＥの第４のパラメータを決定し、
好ましくは、上記ネットワーク側装置が上記ＵＥの報告した上記第１のＵＥ能力又は第１のＵＥ能力に対応する第３のパラメータに基づいて決定した、クロススロットスケジューリングの第４のパラメータをネットワーク側装置から受信する。例えば、上記ネットワーク側装置から、上記第４のパラメータを含むＲＲＣシグナリングを受信し、或いは、上記ネットワーク側装置から、上記第４のパラメータを含むＭＡＣシグナリングを受信し、或いは、上記ネットワーク側装置から、上記第４のパラメータを含むＤＣＩを受信する。  
【００６８】
ステップ４０３では、上記第４のパラメータに基づいて、クロススロットスケジューリングに関連するデータ処理を行う。
【００６９】
上記ＵＥの現在のＵＥ能力は、第２のＵＥ能力であり、上記第１のＵＥ能力に対応する第３のパラメータは、ＰＵＳＣＨ準備時間遅延及び／又はＰＤＳＣＨ処理時間遅延であり、上記第１のＵＥ能力に対応するＰＵＳＣＨ準備時間遅延は、上記第２のＵＥ能力に対応するＰＵＳＣＨ準備時間遅延より大きく、或いは上記第１のＵＥ能力に対応するＰＤＳＣＨ処理時間遅延は、上記第２のＵＥ能力に対応するＰＤＳＣＨ処理時間遅延より大きい。
【００７０】
本開示の実施例では、現在のＵＥ能力が第２のＵＥ能力であるＵＥは、ネットワーク側装置に第１のＵＥ能力又は第１のＵＥ能力の関連パラメータを報告し、その後にネットワーク側装置が設定した第２のＵＥ能力の相関パラメータに基づいて、又はその報告した第１のＵＥ能力の相関パラメータに基づいて、クロススロットスケジューリングに関連するデータ処理を行い、最適な省電力効果を達成することができる。
【００７１】
図５を参照して、本開示の実施例は、データ処理方法の更なる別の流れを提供し、該方法は、ネットワーク側装置によって実行され、具体的なステップが以下のステップ５０１〜ステップ５０３のとおりである。
【００７２】
ステップ５０１では、ＵＥが報告した第１のＵＥ能力又は第１のＵＥ能力に対応する第３のパラメータを受信する。
【００７３】
ステップ５０２では、上記第１のＵＥ能力又は第１のＵＥ能力に対応する第３のパラメータに基づいて、上記第１のＵＥ能力又は第１のＵＥ能力に対応する第３のパラメータに対応する、ＰＤＣＣＨと上記ＰＤＣＣＨによりスケジュールされるＰＵＳＣＨとの時間間隔、及びＰＤＳＣＨとそれに対応するＰＵＣＣＨでのＡＣＫメッセージ又はＮＡＣＫメッセージとの時間間隔のうちの少なくとも１項である、上記ＵＥの第４のパラメータを決定する。
【００７４】
ステップ５０３では、ＵＥに第４のパラメータを送信する。
【００７５】
上記ＵＥの現在のＵＥ能力は、第２のＵＥ能力であり、上記第１のＵＥ能力に対応する第３のパラメータは、ＰＵＳＣＨ準備時間遅延及び／又はＰＤＳＣＨ処理時間遅延であり、上記第１のＵＥ能力に対応するＰＵＳＣＨ準備時間遅延は、上記第２のＵＥ能力に対応するＰＵＳＣＨ準備時間遅延より大きく、或いは上記第１のＵＥ能力に対応するＰＤＳＣＨ処理時間遅延は、上記第２のＵＥ能力に対応するＰＤＳＣＨ処理時間遅延より大きい。
【００７６】
本開示の実施例では、好ましくは、ステップ５０１の後、方法は、ＵＥに、ネットワーク側装置が第１のＵＥ能力又は第１のＵＥ能力に対応する第３のパラメータを受信したことを示す第２の肯定応答メッセージを送信することをさらに含む。
【００７７】
本開示の実施例では、好ましくは、ステップ５０３では、ＵＥに第４のパラメータを含むＲＲＣシグナリングを送信し、或いは、ＵＥに第４のパラメータを含むＭＡＣシグナリングを送信し、或いは、ＵＥに第４のパラメータを含むＤＣＩを送信する。
【００７８】
本開示の実施例では、ネットワーク側装置は、現在のＵＥ能力が第２のＵＥ能力であるＵＥが報告した第１のＵＥ能力又は第１のＵＥ能力の相関パラメータを受信し、その後にＵＥに第１のＵＥ能力又は第１のＵＥ能力の関連パラメータに基づいて決定された第４のパラメータを送信することにより、ＵＥは第４のパラメータに基づいてクロススロットスケジューリングに関連するデータ処理を行い、最適な省電力効果を達成する。
【００７９】
本発明の実施例は、ＵＥをさらに提供し、ＵＥが問題を解決する原理が本開示の実施例におけるデータ処理方法と同様であるため、該ＵＥの実施は方法の実施を参照してよく、重複説明を省略する。
【００８０】
図６を参照して、該ＵＥ６００は、
ネットワーク側装置にクロススロットスケジューリングの第１のパラメータを送信する第１の送信モジュール６０１と、
上記第１のパラメータであるか又は上記第１のパラメータに対応する、上記ＵＥのクロススロットスケジューリングの第２のパラメータを決定する第１の決定モジュール６０２と、
上記第２のパラメータに基づいて、クロススロットスケジューリングに関連するデータ処理を行う第１の処理モジュール６０３と、を含む。
【００８１】
本開示の実施例では、好ましくは、ＵＥは、上記ネットワーク側装置から、上記ネットワーク側装置が上記第１のパラメータに基づいて決定した、クロススロットスケジューリングの上記第２のパラメータを受信する第１の受信モジュールをさらに含む。
【００８２】
本開示の実施例では、好ましくは、上記第１の受信モジュールは、さらに、上記ネットワーク側装置が上記第１のパラメータを受信したことを示す第１の肯定応答メッセージを上記ネットワーク側装置から受信する。
【００８３】
本開示の実施例では、好ましくは、上記第１の受信モジュールは、上記ネットワーク側装置から、上記第２のパラメータを含む無線リソース制御ＲＲＣシグナリングを受信し、或いは、上記ネットワーク側装置から、上記第２のパラメータを含む媒体アクセス制御ＭＡＣシグナリングを受信し、或いは、上記ネットワーク側装置から、上記第２のパラメータを含むダウンリンク制御情報ＤＣＩを受信する。
【００８４】
本開示の実施例では、好ましくは、上記第１のパラメータは、上記ＵＥのハードウェア能力及び／又は上記ＵＥの省電力需要に関連する。
【００８５】
本開示の実施例では、好ましくは、上記第１の送信モジュールは、さらに、ネットワーク側装置に、１つ以上のＤＣＩフォーマットに対応するクロススロットスケジューリングの第１のパラメータを送信し、或いは、ネットワーク側装置に、１つ以上のＲＮＴＩに対応するクロススロットスケジューリングの第１のパラメータを送信し、或いは、ネットワーク側装置に、１つ以上のＰＤＣＣＨサーチスペースタイプに対応するクロススロットスケジューリングの第１のパラメータを送信し、或いは、ネットワーク側装置に、１つ以上のＰＤＣＣＨサーチスペースに対応するクロススロットスケジューリングの第１のパラメータを送信し、或いは、ネットワーク側装置に、１つ以上のＣＯＲＥＳＥＴに対応するクロススロットスケジューリングの第１のパラメータを送信する。
【００８６】
本開示の実施例では、好ましくは、上記第１のパラメータは、
ＰＤＣＣＨと上記ＰＤＣＣＨによりスケジュールされる物理ダウンリンク共有チャネルＰＤＳＣＨとの時間間隔と、
ＰＤＣＣＨと上記ＰＤＣＣＨによりスケジュールされる物理アップリンク共有チャネルＰＵＳＣＨとの時間間隔と、
ＰＤＳＣＨと対応する物理アップリンク制御チャネルＰＵＣＣＨでの肯定応答ＡＣＫメッセージ又は否定応答ＮＡＣＫメッセージとの時間間隔と、のいずれか１項を含む。
【００８７】
本開示の実施例では、好ましくは、上記第１のパラメータは、
ＰＤＣＣＨと上記ＰＤＣＣＨによりスケジュールされるＰＤＳＣＨとの時間間隔と、
ＰＤＣＣＨと上記ＰＤＣＣＨによりスケジュールされるＰＵＳＣＨとの時間間隔と、
ＰＤＳＣＨとそれに対応するＰＵＣＣＨでのＡＣＫメッセージ又はＮＡＣＫメッセージとの時間間隔と、のうちの１項以上に対応するＵＥ能力タイプを含む。
【００８８】
本発明の実施例に係るＵＥは、上記方法の実施例を実行でき、その実現原理及び技術的効果は同様であるため、ここでは説明を省略する。
【００８９】
本発明の実施例は、さらにネットワーク側装置を提供し、ネットワーク側装置が問題を解決する原理が、本開示の実施例におけるデータ処理方法と同様であるため、該ネットワーク側装置の実施例は方法の実施例を参照でき、重複の説明を省略する。
【００９０】
図７を参照して、該ネットワーク側装置７００は、
ＵＥからクロススロットスケジューリングの第１のパラメータを受信する第２の受信モジュール７０１と、
上記ＵＥに上記第１のパラメータに応答したフィードバック情報を送信することにより、上記ＵＥが上記フィードバック情報に応じてクロススロットスケジューリングに関連するデータ処理を行う第２の送信モジュール７０２と、を含む。
【００９１】
本開示の実施例では、好ましくは、上記フィードバック情報は、上記ネットワーク側装置が上記第１のパラメータを受信したことを示す第１の肯定応答メッセージを含む。
【００９２】
本開示の実施例では、好ましくは、上記フィードバック情報は、上記ネットワーク側装置が上記第１のパラメータに基づいて決定した第２のパラメータを含む。
【００９３】
本開示の実施例では、好ましくは、上記第２の送信モジュールは、さらに、上記ＵＥに上記フィードバック情報を含むＲＲＣシグナリングを送信し、或いは、上記ＵＥに上記フィードバック情報を含むＭＡＣシグナリングを送信し、或いは、上記ＵＥに上記フィードバック情報を含むＤＣＩを送信する。
【００９４】
本開示の実施例では、好ましくは、上記第１のパラメータは、上記ＵＥのハードウェア能力及び／又は上記ＵＥの省電力需要に関連する。
【００９５】
本開示の実施例では、好ましくは、上記第２の受信モジュールは、さらに、ＵＥから、１つ以上のＤＣＩフォーマットに対応するクロススロットスケジューリングの第１のパラメータを受信し、或いは、ＵＥから、１つ以上の無線ネットワーク一時識別子ＲＮＴＩに対応するクロススロットスケジューリングの第１のパラメータを受信し、或いは、ＵＥから、１つ以上の物理ダウンリンク制御チャネルＰＤＣＣＨサーチスペースタイプに対応するクロススロットスケジューリングの第１のパラメータを受信し、或いは、ＵＥから、１つ以上の物理ダウンリンク制御チャネルＰＤＣＣＨサーチスペースに対応するクロススロットスケジューリングの第１のパラメータを受信し、或いは、ＵＥから、１つ以上の制御リソースセットＣＯＲＥＳＥＴに対応するクロススロットスケジューリングの第１のパラメータを受信する。
【００９６】
本開示の実施例では、好ましくは、上記第１のパラメータは、
ＰＤＣＣＨと上記ＰＤＣＣＨによりスケジュールされるＰＤＳＣＨとの時間間隔と、
ＰＤＣＣＨと上記ＰＤＣＣＨによりスケジュールされるＰＵＳＣＨとの時間間隔と、
ＰＤＳＣＨとそれに対応するＰＵＣＣＨでのＡＣＫメッセージ又はＮＡＣＫメッセージとの時間間隔と、のいずれか１項を含む。
【００９７】
本開示の実施例では、好ましくは、上記第１のパラメータは、
ＰＤＣＣＨと上記ＰＤＣＣＨによりスケジュールされる物理ダウンリンク共有チャネルＰＤＳＣＨとの時間間隔と、
ＰＤＣＣＨと上記ＰＤＣＣＨによりスケジュールされる物理アップリンク共有チャネルＰＵＳＣＨとの時間間隔と、
ＰＤＳＣＨと対応する物理アップリンク制御チャネルＰＵＣＣＨでの肯定応答ＡＣＫメッセージ又は否定応答ＮＡＣＫメッセージとの時間間隔と、のうちの少なくとも１項に対応するＵＥ能力タイプを含む。
【００９８】
本開示の実施例に係るネットワーク側装置は、上記方法の実施例を実行でき、その実現原理及び技術的効果は同様であるため、ここでは説明を省略する。
【００９９】
本発明の実施例は、ＵＥをさらに提供し、ＵＥが問題を解決する原理が本開示の実施例におけるデータ処理方法と同様であるため、該ＵＥの実施は方法の実施を参照でき、重複の説明を省略する。
【０１００】
図８を参照して、該ＵＥ８００は、
ネットワーク側装置に第１のＵＥ能力又は第１のＵＥ能力に対応する第３のパラメータを報告する第３の送信モジュール８０１と、
上記第１のＵＥ能力又は第１のＵＥ能力に対応する第３のパラメータに対応する、ＰＤＣＣＨと上記ＰＤＣＣＨによりスケジュールされるＰＵＳＣＨとの時間間隔、及びＰＤＳＣＨとそれに対応するＰＵＣＣＨでのＡＣＫメッセージ又はＮＡＣＫメッセージとの時間間隔のうちの少なくとも１項である、上記ＵＥのクロススロットスケジューリングの第４のパラメータを決定する第２の決定モジュール８０２と、
上記第４のパラメータに基づいて、クロススロットスケジューリングに関連するデータ処理を行う第２の処理モジュール８０３と、を含み、
上記ＵＥの現在のＵＥ能力は、第２のＵＥ能力であり、上記第１のＵＥ能力に対応する第３のパラメータは、ＰＵＳＣＨ準備時間遅延及び／又はＰＤＳＣＨ処理時間遅延であり、上記第１のＵＥ能力に対応するＰＵＳＣＨ準備時間遅延は、上記第２のＵＥ能力に対応するＰＵＳＣＨ準備時間遅延より大きく、或いは上記第１のＵＥ能力に対応するＰＤＳＣＨ処理時間遅延は、上記第２のＵＥ能力に対応するＰＤＳＣＨ処理時間遅延より大きい。
【０１０１】
本開示の実施例では、好ましくは、上記ＵＥは、上記ネットワーク側装置から、上記ネットワーク側装置が上記ＵＥの報告した上記第１のＵＥ能力又は第１のＵＥ能力に対応する第３のパラメータに基づいて決定した、クロススロットスケジューリングの第４のパラメータを受信する第３の受信モジュールをさらに含む。
【０１０２】
本開示の実施例では、好ましくは、上記第３の受信モジュールは、さらに、上記ネットワーク側装置から、上記第４のパラメータを含むＲＲＣシグナリングを受信し、或いは、上記ネットワーク側装置から、上記第４のパラメータを含むＭＡＣシグナリングを受信し、或いは、上記ネットワーク側装置から、上記第４のパラメータを含むＤＣＩを受信する。
【０１０３】
本発明の実施例に係るＵＥは、上記方法の実施例を実行でき、その実現原理及び技術的効果は同様であるため、ここでは説明を省略する。
【０１０４】
本発明の実施例は、さらにネットワーク側装置を提供し、ネットワーク側装置が問題を解決する原理が、本開示の実施例におけるデータ処理方法と同様であるため、該ネットワーク側装置の実施例は方法の実施例を参照でき、重複の説明を省略する。
【０１０５】
図９を参照して、該ネットワーク側装置９００は、
ＵＥが報告した第１のＵＥ能力又は第１のＵＥ能力に対応する第３のパラメータを受信する第４の受信モジュール９０１と、
上記第１のＵＥ能力又は第１のＵＥ能力に対応する第３のパラメータに基づいて、上記第１のＵＥ能力又は第１のＵＥ能力に対応する第３のパラメータに対応する、ＰＤＣＣＨと上記ＰＤＣＣＨによりスケジュールされるＰＵＳＣＨとの時間間隔、及びＰＤＳＣＨとそれに対応するＰＵＣＣＨでのＡＣＫメッセージ又はＮＡＣＫメッセージとの時間間隔のうちの少なくとも１項である、上記ＵＥの第４のパラメータを決定する第３の決定モジュール９０２と、
上記ＵＥに上記第４のパラメータを送信する第４の送信モジュール９０３と、を含み、
上記ＵＥの現在のＵＥ能力は、第２のＵＥ能力であり、上記第１のＵＥ能力に対応する第３のパラメータは、ＰＵＳＣＨ準備時間遅延及び／又はＰＤＳＣＨ処理時間遅延であり、上記第１のＵＥ能力に対応するＰＵＳＣＨ準備時間遅延は、上記第２のＵＥ能力に対応するＰＵＳＣＨ準備時間遅延より大きく、或いは上記第１のＵＥ能力に対応するＰＤＳＣＨ処理時間遅延は、上記第２のＵＥ能力に対応するＰＤＳＣＨ処理時間遅延より大きい。
【０１０６】
本開示の実施例では、好ましくは、上記第４の送信モジュールは、さらに、上記ＵＥに、上記ネットワーク側装置が上記第１のＵＥ能力又は第１のＵＥ能力に対応する第３のパラメータを受信したことを示す第２の肯定応答メッセージを送信する。
【０１０７】
本開示の実施例では、好ましくは、上記第４の送信モジュールは、さらに、上記ＵＥに上記第４のパラメータを含むＲＲＣシグナリングを送信し、或いは、上記ＵＥに上記第４のパラメータを含むＭＡＣシグナリングを送信し、或いは、上記ＵＥに上記第４のパラメータを含むＤＣＩを送信する。
【０１０８】
本開示の実施例に係るネットワーク側装置は、上記方法の実施例を実行でき、その実現原理及び技術的効果は同様であるため、ここでは説明を省略する。
【０１０９】
図１０に示すように、図１０に示すユーザ装置１０００は、少なくとも１つのプロセッサ１００１、メモリ１００２、少なくとも１つのネットワークインタフェース１００４及びユーザインタフェース１００３を含む。ユーザ装置１０００における各コンポーネントは、バスシステム１００５を介して結合されている。バスシステム１００５は、これらのコンポーネント間の接続通信を実現することを理解されたい。バスシステム１００５は、データバスに加えて、電力バス、制御バス及び状態信号バスをさらに含む。しかしながら、明確に説明するために、図１０において、様々なバスを全てバスシステム１００５と表記する。
【０１１０】
ユーザインタフェース１００３は、ディスプレイ、キーボード又はポインティング装置（例えば、マウス、トラックボール（ｔｒａｃｋｂａｌｌ））、タッチパッド又はタッチスクリーンなどを含んでよい。
【０１１１】
理解されるように、本開示の実施例におけるメモリ１００２は、揮発性メモリ又は不揮発性メモリであってよいか、又は揮発性及び不揮発性メモリの両方を含んでよい。不揮発性メモリは、読み取り専用メモリ（Ｒｅａｄ−Ｏｎｌｙ  Ｍｅｍｏｒｙ、ＲＯＭ）、プログラマブル読み取り専用メモリ（Ｐｒｏｇｒａｍｍａｂｌｅ  ＲＯＭ、ＰＲＯＭ）、消去可能なプログラマブル読み出し専用メモリ（Ｅｒａｓａｂｌｅ  ＰＲＯＭ、ＥＰＲＯＭ）、電気的消去可能なプログラマブル読み出し専用メモリ（Ｅｌｅｃｔｒｉｃａｌｌｙ  ＥＰＲＯＭ、ＥＥＰＲＯＭ）又はフラッシュメモリであってよい。揮発性メモリは、外部キャッシュとして用いられるランダムアクセスメモリ（Ｒａｎｄｏｍ  Ａｃｃｅｓｓ  Ｍｅｍｏｒｙ、ＲＡＭ）であってよい。例であって限定するものではないが、スタティック・ランダム・アクセス・メモリ（Ｓｔａｔｉｃ  ＲＡＭ、ＳＲＡＭ）、ダイナミック・ランダム・アクセス・メモリ（Ｄｙｎａｍｉｃ  ＲＡＭ、ＤＲＡＭ）、シンクロナス・ダイナミック・ランダム・アクセス・メモリ（Ｓｙｎｃｈｒｏｎｏｕｓ  ＤＲＡＭ、ＳＤＲＡＭ）、ダブル・データ・レート・シンクロナス・ダイナミック・ランダム・アクセス・メモリ（Ｄｏｕｂｌｅ  Ｄａｔａ  ｒａｔｅ  ＳＤＲＡＭ、ＤＤＲＳＤＲＡＭ）、エンハンスド・シンクロナス・ダイナミック・ランダム・アクセス・メモリ（Ｅｎｈａｎｃｅｄ  ＳＤＲＡＭ、ＥＳＤＲＡＭ）、シンクリンク・ダイナミック・ランダム・アクセス・メモリ（Ｓｙｎｃｈｌｉｎｋ  ＤＲＡＭ、ＳＬＤＲＡＭ）及びダイレクト・ラムバス・ランダム・アクセス・メモリ（Ｄｉｒｅｃｔ  Ｒａｍｂｕｓ  ＲＡＭ、ＤＲＲＡＭ）などの多くの形態にあるＲＡＭが使用され得る。本開示の実施例に説明されるシステム及び方法のメモリ１００２は、これらのメモリ及び適切なタイプの任意の他のメモリを含むが、これらに限定されない。
【０１１２】
いくつかの実施形態において、メモリ１００２は、以下の要素、動作可能なモジュール若しくはデータ構造、又はそれらのサブセット、又はそれらの拡張セット、すなわち、オペレーティングシステム１００２１及びアプリケーションプログラム１００２２を記憶する。
【０１１３】
オペレーティングシステム１００２１は、様々な基本的なタスクを実現し、かつハードウェアベースによるタスクを処理する、フレームワーク層、コアライブラリ層、ドライバ層などの様々なシステムプログラムを含む。アプリケーションプログラム１００２２は、様々なアプリケーションサービスを実現する、メディアプレーヤー（Ｍｅｄｉａ  Ｐｌａｙｅｒ）、ブラウザ（Ｂｒｏｗｓｅｒ）などの様々なアプリケーションプログラムを含む。本開示の実施例の方法を実現するためのプログラムは、アプリケーションプログラム１００２２に含まれてよい。
【０１１４】
本開示の実施例では、メモリ１００２に記憶されたプログラム又は命令、具体的には、アプリケーションプログラム１００２２に記憶されたプログラム又は命令を呼び出すことにより、実行中に、ネットワーク側装置にクロススロットスケジューリングの第１のパラメータを送信するステップと、上記第１のパラメータであるか又は上記第１のパラメータに対応する、上記ＵＥのクロススロットスケジューリングの第２のパラメータを決定するステップと、上記第２のパラメータに基づいて、クロススロットスケジューリングに関連するデータ処理を行うステップと、を実現する。
【０１１５】
或いは、実行中に、ネットワーク側装置に第１のＵＥ能力又は第１のＵＥ能力に対応する第３のパラメータを報告するステップと、上記第１のＵＥ能力又は第１のＵＥ能力に対応する第３のパラメータに対応する、ＰＤＣＣＨと上記ＰＤＣＣＨによりスケジュールされるＰＵＳＣＨとの時間間隔、及びＰＤＳＣＨとそれに対応するＰＵＣＣＨでのＡＣＫメッセージ又はＮＡＣＫメッセージとの時間間隔のうちの少なくとも１項である、上記ＵＥのクロススロットスケジューリングの第４のパラメータを決定するステップと、上記第４のパラメータに基づいて、クロススロットスケジューリングに関連するデータ処理を行うステップと、を実現し、上記ＵＥの現在のＵＥ能力は、第２のＵＥ能力であり、上記第１のＵＥ能力に対応する第３のパラメータは、ＰＵＳＣＨ準備時間遅延及び／又はＰＤＳＣＨ処理時間遅延であり、上記第１のＵＥ能力に対応するＰＵＳＣＨ準備時間遅延は、上記第２のＵＥ能力に対応するＰＵＳＣＨ準備時間遅延より大きく、或いは上記第１のＵＥ能力に対応するＰＤＳＣＨ処理時間遅延は、上記第２のＵＥ能力に対応するＰＤＳＣＨ処理時間遅延より大きい。
【０１１６】
本開示の実施例に係るユーザ装置は、上記方法の実施例を実行でき、その実現原理及び技術的効果は同様であるため、ここでは説明を省略する。
【０１１７】
図１１を参照して、本開示の実施例は、プロセッサ１１０１、トランシーバ１１０２、メモリ１１０３及びバスインタフェースを含む、別のネットワーク側装置１１００を提供する。
【０１１８】
プロセッサ１１０１は、バスアーキテクチャ及び一般的な処理の管理を担当することができる。メモリ１１０３は、プロセッサ１１０１が操作を実行するときに使用するデータを記憶することができる。
【０１１９】
本開示の実施例では、ネットワーク側装置１１００は、さらにメモリ１１０３に記憶されプロセッサ１１０１上で実行でき、プロセッサ１１０１により実行されると、ＵＥからクロススロットスケジューリングの第１のパラメータを受信することと、上記ＵＥに上記第１のパラメータに応答したフィードバック情報を送信することにより、上記ＵＥが上記フィードバック情報に応じてクロススロットスケジューリングに関連するデータ処理を行うことと、を実現するコンピュータプログラムをさらに含んでよい。
【０１２０】
或いは、該コンピュータプログラムは、プロセッサ１１０１により実行されると、ＵＥが報告した第１のＵＥ能力又は第１のＵＥ能力に対応する第３のパラメータを受信することと、上記第１のＵＥ能力又は第１のＵＥ能力に対応する第３のパラメータに基づいて、上記第１のＵＥ能力又は第１のＵＥ能力に対応する第３のパラメータに対応する、ＰＤＣＣＨと上記ＰＤＣＣＨによりスケジュールされるＰＵＳＣＨとの時間間隔、及びＰＤＳＣＨとそれに対応するＰＵＣＣＨでのＡＣＫメッセージ又はＮＡＣＫメッセージとの時間間隔のうちの少なくとも１項である、上記ＵＥの第４のパラメータを決定することと、上記ＵＥに上記第４のパラメータを送信することと、を実現し、上記ＵＥの現在のＵＥ能力は、第２のＵＥ能力であり、上記第１のＵＥ能力に対応する第３のパラメータは、ＰＵＳＣＨ準備時間遅延及び／又はＰＤＳＣＨ処理時間遅延であり、上記第１のＵＥ能力に対応するＰＵＳＣＨ準備時間遅延は、上記第２のＵＥ能力に対応するＰＵＳＣＨ準備時間遅延より大きく、或いは上記第１のＵＥ能力に対応するＰＤＳＣＨ処理時間遅延は、上記第２のＵＥ能力に対応するＰＤＳＣＨ処理時間遅延より大きい。
【０１２１】
図１１において、バスアーキテクチャは、任意の数の相互接続されたバス及びブリッジを含んでよく、具体的には、プロセッサ１１０１を代表とする１つ以上のプロセッサ、メモリ１１０３を代表とするメモリの様々な回路によって接続される。バスアーキテクチャは、さらに、周辺装置、スタビライザ及びパワー管理回路などの様々なその他の回路を一体に接続してよく、これらはいずれも本分野において既知のことであるため、本開示の実施例ではさらに説明しない。バスインタフェースはインタフェースを提供する。トランシーバ１１０２は、複数の部品であってよく、即ち、送信機及び受信機を含み、伝送媒体で様々な他の装置と通信するためのユニットを提供する。
【０１２２】
本開示の実施例に係るネットワーク側装置は、上記方法の実施例を実行でき、その実現原理及び技術的効果は同様であるため、ここでは説明を省略する。
【０１２３】
本開示の実施例は、プロセッサにより実行されると、上記いずれか実施例におけるデータ処理方法のステップを実現するコンピュータプログラムが記憶されているコンピュータ読み取り可能な記憶媒体をさらに提供する。
【０１２４】
本明細書に開示された内容を参照して記載する方法又はアルゴリズムのステップは、ハードウェアの形態で実現されてもよく、プロセッサがソフトウェア命令を実行する形態で実現されてもよい。ソフトウェア命令は、対応するソフトウェアモジュールで構成されてもよく、ソフトウェアモジュールは、ＲＡＭ、フラッシュメモリ、ＲＯＭ、ＥＰＲＯＭ、ＥＥＰＲＯＭ、レジスタ、ハードディスク、取り外し可能ハードディスク、読み出し専用ディスク又は当該技術分野における他の周知の任意の形態の記憶媒体に記憶されてもよい。例示的な記憶媒体は、プロセッサが該記憶媒体から情報を読み取り、かつ情報を該記憶媒体に書き込むことができるように、プロセッサに結合される。もちろん、記憶媒体は、プロセッサの構成部分であってよい。プロセッサ及び記憶媒体は、ＡＳＩＣに位置してよい。さらに、該ＡＳＩＣは、コアネットワークインタフェース装置に位置してよい。もちろん、プロセッサ及び記憶媒体は、個別のコンポーネントとしてコアネットワークインタフェース装置に存在してもよい。
【０１２５】
当業者であれば、上記１つ以上の例において、本開示に記載される機能がハードウェア、ソフトウェア、ファームウェア又はそれらの任意の組み合わせにより実現されてよいことを認識すべきである。ソフトウェアにより実現するとき、これらの機能を、コンピュータ読み取り可能な媒体に記憶してもよいし、又はコンピュータ読み取り可能な媒体内の１つ以上の命令又はコードとして送信してもよい。コンピュータ読み取り可能な媒体は、コンピュータ記憶媒体及び通信媒体を含み、通信媒体は、コンピュータプログラムを１つの場所から他の場所に送信することを可能にする任意の媒体を含む。記憶媒体は、汎用又は専用コンピュータがアクセス可能な任意の利用可能な媒体であってよい。
【０１２６】
以上の具体的な実施形態は、本開示の目的、技術手段及び有益な効果をさらに詳細に説明するが、以上は、本開示の具体的な実施形態に過ぎず、本開示の保護範囲を限定することを意図するものではないことが理解されるべきであり、また本開示の技術手段を基に行われる修正、同等置換、改良等は、全て本発明の保護範囲内に含まれるものとする。
【０１２７】
当業者であれば、本開示の実施例は、方法、システム又はコンピュータプログラム製品として提供できることを理解すべきである。したがって、本開示の実施例は、完全なハードウェアの実施例、完全なソフトウェアの実施例、又はソフトウェアとハードウェアを組み合わせた実施例の形態を利用できる。さらに、本開示の実施例は、コンピュータ上で使用可能なコンピュータプログラムコードを含む１つ以上のコンピュータ上で使用可能な記憶媒体（ディスクメモリ、ＣＤ−ＲＯＭ、光メモリなどを含むが、それらに限定されない）に実施されるコンピュータプログラム製品の形態を利用できる。
【０１２８】
本開示の実施例は、本開示の実施例に係る方法、装置（システム）及びコンピュータプログラム製品のフローチャート及び／又はブロック図を参照して記載される。コンピュータプログラム命令によってフローチャート及び／又はブロック図における各フロー及び／又はブロック、及びフローチャート及び／又はブロック図におけるフロー及び／又はブロックの組み合わせを実現できることを理解すべきである。このようなコンピュータプログラム命令を、マシンを生成するために汎用コンピュータ、専用コンピュータ、埋め込み処理ユニット又は他のプログラマブルデータ処理装置のプロセッサへ提供することにより、コンピュータ又は他のプログラマブルデータ処理装置のプロセッサによって実行される命令は、流れ図における１つ以上の流れ及び／又はブロック図における１つ以上のブロック内に規定される機能を実現する装置を生成することができる。
【０１２９】
これらのコンピュータプログラム命令をまた、コンピュータ又は他のプログラマブルデータ処理装置を特定の方式で機能するように誘導することができるコンピュータ読み取り可能なメモリに記憶できることにより、該コンピュータ読み取り可能なメモリ内に記憶される命令は、流れ図における１つ以上の流れ及び／又はブロック図における１つ以上のブロック内に規定される機能を実現する命令装置を含む製品を生成することができる。
【０１３０】
これらのコンピュータプログラム命令をまた、コンピュータ又は他のプログラマブルデータ処理装置にロードできることにより、コンピュータ又は他のプログラマブル装置にコンピュータにより実現される処理を生成するために一連の操作ステップを実行すると、コンピュータ又は他のプログラマブル装置で実行される命令は、フローチャートにおける１つ以上のフロー及び／又はブロック図における１つ以上のブロックに規定される機能のステップを実現する。
【０１３１】
明らかに、当業者であれば、本開示の精神及び範囲から逸脱することなく、本開示の実施例に対して様々な修正及び変形を行うことができる。本開示の実施例は、それらの修正及び変形が、本開示の特許請求の範囲及びその均等物によって規定される保護範囲内に属するならば、本開示はそれらの修正及び変形を包含することを意図するものである。
【符号の説明】
【０１３２】
１０  ネットワーク側装置
１１  ＵＥ
６００  ＵＥ
６０１  第１の送信モジュール
６０２  第１の決定モジュール
６０３  第１の処理モジュール
７００  ネットワーク側装置
７０１  第２の受信モジュール
７０２  第２の送信モジュール
８００  ＵＥ
８０１  第３の送信モジュール
８０２  第２の決定モジュール
８０３  第２の処理モジュール
９００  ネットワーク側装置
９０１  第４の受信モジュール
９０２  第３の決定モジュール
９０３  第４の送信モジュール
１０００  ユーザ装置
１００１  プロセッサ
１００２  メモリ
１００２１  オペレーター
１００２２  アプリケーションプログラム
１００３  ユーザインタフェース
１００４  ネットワークインタフェース
１００５  バスシステム
１１００  ネットワーク側装置
１１０１  プロセッサ
１１０２  トランシーバ
１１０３  メモリ
【図１】
2021527985.tif 000004
【図２】
2021527985.tif 000005
【図３】
2021527985.tif 000006
【図４】
2021527985.tif 000007
【図５】
2021527985.tif 000008
【図６】
2021527985.tif 000009
【図７】
2021527985.tif 000010
【図８】
2021527985.tif 000011
【図９】
2021527985.tif 000012
【図１０】
2021527985.tif 000013
【図１１】
2021527985.tif 000014
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
ユーザ装置ＵＥに適用されるデータ処理方法であって、
ネットワーク側装置にクロススロットスケジューリングの第１のパラメータを送信することと、
前記第１のパラメータであるか又は前記第１のパラメータに対応する、前記ＵＥのクロススロットスケジューリングの第２のパラメータを決定することと、
前記第２のパラメータに基づいて、クロススロットスケジューリングに関連するデータ処理を行うことと、を含む、データ処理方法。
【請求項２】
前記第１のパラメータに対応する、前記ＵＥのクロススロットスケジューリングの第２のパラメータを決定することは、
前記ネットワーク側装置から、前記ネットワーク側装置が前記第１のパラメータに基づいて決定した、クロススロットスケジューリングの前記第２のパラメータを受信することを含む、請求項１に記載の方法。
【請求項３】
前記ネットワーク側装置が前記第１のパラメータを受信したことを示す第１の肯定応答メッセージを前記ネットワーク側装置から受信することをさらに含む、請求項１に記載の方法。
【請求項４】
前記ネットワーク側装置からクロススロットスケジューリングの前記第２のパラメータを受信することは、
前記ネットワーク側装置から、前記第２のパラメータを含む無線リソース制御ＲＲＣシグナリングを受信することと、
前記ネットワーク側装置から、前記第２のパラメータを含む媒体アクセス制御ＭＡＣシグナリングを受信することと、
前記ネットワーク側装置から、前記第２のパラメータを含むダウンリンク制御情報ＤＣＩを受信することと、のいずれか１項を含む、請求項２に記載の方法。
【請求項５】
前記第１のパラメータは、前記ＵＥのハードウェア能力及び／又は前記ＵＥの省電力需要に関連する、請求項１に記載の方法。
【請求項６】
ネットワーク側装置にクロススロットスケジューリングの第１のパラメータを送信することは、
ネットワーク側装置に、１つ以上のＤＣＩフォーマットに対応するクロススロットスケジューリングの第１のパラメータを送信することと、
ネットワーク側装置に、１つ以上の無線ネットワーク一時識別子ＲＮＴＩに対応するクロススロットスケジューリングの第１のパラメータを送信することと、
ネットワーク側装置に、１つ以上の物理ダウンリンク制御チャネルＰＤＣＣＨサーチスペースタイプに対応するクロススロットスケジューリングの第１のパラメータを送信することと、
ネットワーク側装置に、１つ以上の物理ダウンリンク制御チャネルＰＤＣＣＨサーチスペースに対応するクロススロットスケジューリングの第１のパラメータを送信することと、
ネットワーク側装置に、１つ以上の制御リソースセットＣＯＲＥＳＥＴに対応するクロススロットスケジューリングの第１のパラメータを送信することと、のいずれか１項を含む、請求項１に記載の方法。
【請求項７】
前記第１のパラメータは、
ＰＤＣＣＨと前記ＰＤＣＣＨによりスケジュールされる物理ダウンリンク共有チャネルＰＤＳＣＨとの時間間隔と、
ＰＤＣＣＨと前記ＰＤＣＣＨによりスケジュールされる物理アップリンク共有チャネルＰＵＳＣＨとの時間間隔と、
ＰＤＳＣＨと対応する物理アップリンク制御チャネルＰＵＣＣＨでの肯定応答ＡＣＫメッセージ又は否定応答ＮＡＣＫメッセージとの時間間隔と、の少なくとも１項を含む、請求項１〜６のいずれか１項に記載の方法。
【請求項８】
前記第１のパラメータは、
ＰＤＣＣＨと前記ＰＤＣＣＨによりスケジュールされるＰＤＳＣＨとの時間間隔と、
ＰＤＣＣＨと前記ＰＤＣＣＨによりスケジュールされるＰＵＳＣＨとの時間間隔と、
ＰＤＳＣＨとそれに対応するＰＵＣＣＨでのＡＣＫメッセージ又はＮＡＣＫメッセージとの時間間隔と、のうちの１項以上に対応するＵＥ能力タイプを含む、請求項１〜６のいずれか１項に記載の方法。
【請求項９】
ネットワーク側装置に適用されるデータ処理方法であって、
ＵＥからクロススロットスケジューリングの第１のパラメータを受信することと、
前記ＵＥに前記第１のパラメータに応答したフィードバック情報を送信することにより、前記ＵＥが前記フィードバック情報に応じてクロススロットスケジューリングに関連するデータ処理を行うことと、を含む、データ処理方法。
【請求項１０】
前記フィードバック情報は、
前記ネットワーク側装置が前記第１のパラメータを受信したことを示す第１の肯定応答メッセージを含み、
又は
前記フィードバック情報は、前記ネットワーク側装置が前記第１のパラメータに基づいて決定した第２のパラメータを含む、請求項９に記載の方法。
【請求項１１】
前記ＵＥに前記第１のパラメータに応答したフィードバック情報を送信することは、
前記ＵＥに前記フィードバック情報を含むＲＲＣシグナリングを送信することと、
前記ＵＥに前記フィードバック情報を含むＭＡＣシグナリングを送信することと、
前記ＵＥに前記フィードバック情報を含むＤＣＩを送信することと、のいずれか１項を含む、請求項９に記載の方法。
【請求項１２】
前記ＵＥからクロススロットスケジューリングの第１のパラメータを受信することは、
ＵＥから、１つ以上のＤＣＩフォーマットに対応するクロススロットスケジューリングの第１のパラメータを受信することと、
ＵＥから、１つ以上の無線ネットワーク一時識別子ＲＮＴＩに対応するクロススロットスケジューリングの第１のパラメータを受信することと、
ＵＥから、１つ以上の物理ダウンリンク制御チャネルＰＤＣＣＨサーチスペースタイプに対応するクロススロットスケジューリングの第１のパラメータを受信することと、
ＵＥから、１つ以上の物理ダウンリンク制御チャネルＰＤＣＣＨサーチスペースに対応するクロススロットスケジューリングの第１のパラメータを受信することと、
ＵＥから、１つ以上の制御リソースセットＣＯＲＥＳＥＴに対応するクロススロットスケジューリングの第１のパラメータを受信することと、のいずれか１項を含み、
前記第１のパラメータは、前記ＵＥのハードウェア能力及び／又は前記ＵＥの省電力需要に関連する、請求項９に記載の方法。
【請求項１３】
前記第１のパラメータは、
ＰＤＣＣＨと前記ＰＤＣＣＨによりスケジュールされるＰＤＳＣＨとの時間間隔と、
ＰＤＣＣＨと前記ＰＤＣＣＨによりスケジュールされるＰＵＳＣＨとの時間間隔と、
ＰＤＳＣＨとそれに対応するＰＵＣＣＨでのＡＣＫメッセージ又はＮＡＣＫメッセージとの時間間隔と、のうちの１項以上を含み、
及び
前記第１のパラメータは、
ＰＤＣＣＨと前記ＰＤＣＣＨによりスケジュールされる物理ダウンリンク共有チャネルＰＤＳＣＨとの時間間隔と、
ＰＤＣＣＨと前記ＰＤＣＣＨによりスケジュールされる物理アップリンク共有チャネルＰＵＳＣＨとの時間間隔と、
ＰＤＳＣＨと対応する物理アップリンク制御チャネルＰＵＣＣＨでの肯定応答ＡＣＫメッセージ又は否定応答ＮＡＣＫメッセージとの時間間隔と、のうちの少なくとも１項に対応するＵＥ能力タイプを含む、請求項９〜１２のいずれか１項に記載の方法。
【請求項１４】
ネットワーク側装置にクロススロットスケジューリングの第１のパラメータを送信する第１の送信モジュールと、
前記第１のパラメータであるか又は前記第１のパラメータに対応する、ＵＥのクロススロットスケジューリングの第２のパラメータを決定する第１の決定モジュールと、
前記第２のパラメータに基づいて、クロススロットスケジューリングに関連するデータ処理を行う第１の処理モジュールと、を含む、ＵＥ。
【請求項１５】
ＵＥからクロススロットスケジューリングの第１のパラメータを受信する第２の受信モジュールと、
前記ＵＥに前記第１のパラメータに応答したフィードバック情報を送信することにより、前記ＵＥが前記フィードバック情報に応じてクロススロットスケジューリングに関連するデータ処理を行う第２の送信モジュールと、を含む、ネットワーク側装置。
【国際調査報告】
2021527985.tif 000015
2021527985.tif 000016
2021527985.tif 000017
2021527985.tif 000018